(57)【特許請求の範囲】
【請求項１】
下記の一連のステップによって特徴付けられるリテール・ターミナル（１０）の運用方法であって、すなわち、
コア・モヂュール・アッセンブリ（１２）、一方向性基礎アッセンブリ（２４６）、および、多方向性基礎アッセンブリ（１８）を有するリテール・ターミナルを備えること、
そのコアー・モヂュール・アッセンブリ（１２）を一方向性基礎アッセンブリ（２４６）に装着すること、
同コア・モヂュール・アッセンブリが一方向性基礎アッセンブリ（２４６）に固定されている間に、販売機能を実行できるように同コア・モヂュール・アッセンブリ（１２）操作すること、
コア・モヂュール・アッセンブリ（１２）を、一方向性基礎アッセンブリ（２４６）から脱離すること、
この脱離ステップの後でコア・モヂュール・アッセンブリ（１２）を多方向性基礎アッセンブリに装着すること、および、
コア・モヂュール・アッセンブリ（１２）を、同コア・モヂュール・アッセンブリ（１２）が多方向性基礎アッセンブリ（１８）に固定されている間に、販売機能を実行するように操作すること、
の諸ステップによって特徴付けられる運用方法。
【請求項２】
コア・モヂュール・アッセンブリ（１２）が一方向性基礎アッセンブリ（２４６）に装着されている間に非介助性販売機能が実行され、かつ、
コア・モヂュール・アッセンブリ（１２）が多方向性基礎アッセンブリ（１８）に装着されている間に介助性販売機能が実行されること、
を特徴とする請求項１に記載の方法。
【請求項３】
コア・モヂュール・アッセンブリ（１２）が一方向性基礎アッセンブリ（２４６）に固定されている間に販売機能が第１の期間において実行され、かつ、
コア・モヂュール・アッセンブリ（１２）が多方向性基礎アッセンブリ（１８）に固定されている間に販売機能が第２の期間において実行されること、
を特徴とする請求項１乃至２に記載の方法。
【請求項４】
コア・モヂュール・アッセンブリ（１２）が多方向性基礎アッセンブリ（１８）に固定されている間に実行されるステップが、
コア・モヂュール・アッセンブリ（１２）が多方向性基礎アッセンブリ（１８）に対して第１の方向に置かれている間に、同コア・モヂュール・アッセンブリ（１２）を操作すること、
第１方向操作ステップの後、コア・モヂュール・アッセンブリ（１２）を、多方向性基礎アッセンブリに対して、第１方向から第２の方向へ移動させること、および、
コア・モヂュール・アッセンブリ（１２）が多方向性基礎アッセンブリ（１８）に対して第２方向に置かれるている間に、同コア・モヂュール・アッセンブリ（１２）を操作すること、
の諸ステップを含むことを特徴とする請求項１乃至３に記載の方法。
【請求項５】
第１表示画面（２０）を有するコア・モヂュール・アッセンブリ（１２）と、第２表示画面（５１０）を有する多方向性基礎アッセンブリ（１８）を備え、かつ、
コア・モヂュール・アッセンブリ（１２）が多方向性基礎アッセンブリ（１８）に固定されている間に実行されるステップが、販売情報を、第１表示画面（２０）と第２表示画面の両方に表示するステップを含む、
ことを特徴とする請求項１乃至４に記載の方法。
【請求項６】
第１の電力ケーブル（５５６）が、一方向性基礎アッセンブリ（２４６）によって支持され、
第２の電力ケーブル（５２）が、多方向性基礎アッセンブリ（１８）によって支持され、
コア・モヂュール・アッセンブリ（１２）が電力コネクター（２５）を含み、
コア・モヂュール・アッセンブリ（１２）が一方向性基礎アッセンブリ（２４６）に固定されている間に実行されるステップが、第１電力ケーブル（５５６）が電力コネクター（２６）に結合されている間に、コア・モヂュール・アッセンブリ（１２）を操作するステップを含み、かつ、
コア・モヂュール・アッセンブリ（１２）が多方向性基礎アッセンブリ（１８）に固定されている間に実行されるステップが、第２電力ケーブル（５２）が電力コネクター（２６）に結合されている間に、コア・モヂュール・アッセンブリ（１２）を操作するステップを含むこと、
を特徴とする請求項１乃至５に記載の方法。
【請求項７】
リテール・ターミナル（１０）であって、
第１のコア・モヂュール取りつけ構造（２９６、２６８）を有する一方向性基礎アッセンブリ（２４６）、
第２のコア・モヂュール取りつけ構造（１１６）を有する多方向性基礎アッセンブリ（１８）、および、
コア・モヂュール・アッセンブリ（１２）であって、（ｉ）前記コア・モヂュール・アッセンブリ（１２）が前記第１コア・モヂュール取りつけ構造（２９６、２６８）に固定されている第１期間において販売機能を実行し、かつ、（ｉｉ）前記コア・モヂュール・アッセンブリ（１２）が前記第２コア・モヂュール取りつけ構造（１１６）に固定されている第２期間において販売機能を実行するように操作可能なコア・モヂュール・アッセンブリ、
によって特徴付けられるリテール・ターミナル（１０）。
【請求項８】
前記コア・モヂュール・アッセンブリ（１２）が、それぞれ、前記第１期間と第２期間において、非介助性および介助性販売機能を実行できるよう、操作可能であることを特徴とする請求項７に記載のリテール・ターミナル（１０）。
【請求項９】
前記多方向性基礎アッセンブリ（１８）は、第１の方向と第２の方向との間に位置づけ可能であり、かつ、
前記コア・モヂュール・アッセンブリ（１２）は、前記多方向性基礎アッセンブリ（１８）が前記第１方向と前記第２方向の両方に位置付けられた時に、前記介助性販売機能を実行するよう操作可能であること、
を特徴とする請求項８に記載のリテール・ターミナル。
【請求項１０】
前記一方向性基礎アッセンブリ（２４６）は、第１の電力ケーブル（５５６）を支持し、
前記多方向性基礎アッセンブリ（１８）は、第２の電力ケーブル（５２）を支持し、
前記コア・モヂュール・アッセンブリ（１２）は、電力コネクター（２６）を含み、
前記第１電力ケーブル（５５６）は、前記コア・モヂュール・アッセンブリ（１２）が前記非介助性販売機能を実行するよう操作されている時には、前記電力コネクター（２６）に結合され、かつ、
前記第２電力ケーブル（５２）は、前記コア・モヂュール・アッセンブリ（１２）が前記介助性販売機能を実行するよう操作されている時には、前記電力コネクター（２６）に結合されること、
を特徴とする請求項８乃至９に記載のリテール・ターミナル。
【請求項１１】
前記コア・モヂュール・アッセンブリ（１２）は、第１の表示画面（２０）を含み、
前記多方向性基礎アッセンブリ（１８）は、第２の表示画面（５１０）を含み、かつ、
販売情報が、前記コア・モヂュール・アッセンブリ（１２）が前記介助性販売機能を実行するよう操作されている間に、前記第１表示画面（２０）と前記第２表示画面（５１０）の両方に表示されること、
を特徴とする請求項８乃至１０に記載のリテール・ターミナル。
【発明の詳細な説明】
【０００１】
【産業上の利用分野】
本発明は一般にリテール・ターミナルに関わる、さらに特定的には、設置台に表示モニターを位置付けするためのラチェットを含む傾斜機構を具備するリテール・ターミナルに関わる。
【０００２】
【従来の技術】
小売業界においては、いくつかの電子式リテール・ターミナルが、小売商店全体に渡って使用されている。例えば、小売商店はいくつかのＰＯＳ（販売点）ターミナル、例えば、伝統的な介助性（すなわち、店員の操作による）チェックアウト・ターミナルを含むことがある。さらに小売商店は、介助性ＰＯＳターミナルの他に、いくつかの非介助性ターミナル、例えば、セルフサービス・チェックアウト・ターミナルを含むこともある。セルフサービス・チェックアウト・ターミナルとは、商店員の介助無しに顧客によって操作されるターミナルである。
【０００３】
さらにＰＯＳターミナルの他に、小売商店は、キオスク型装置のような情報リテール・ターミナルをいくつか含むことがある。このような情報リテール・ターミナルは、一般に小売商店の販売領域全体に設置され、商品陳列販売機能のような各種情報販売機能を実行するために設けられる。特に、情報リテール・ターミナルは、商店顧客にたいし商品情報を表示するために、あるいは、キーボードその他による顧客のインプットに応じて顧客に介助を与える相互的リテール・ターミナルとして、使用されることがある。
【０００４】
【発明が解決しようとする課題】
これまでに設計されたリテール・ターミナルは、設計に関連するいくつかの欠点を持っている。特に、これまでに設計されたリテール・ターミナルは、各種の販売機能を実行する弾力性を持っていない。例えば、一般にこれまでに設計されたリテール・ターミナルは、商品陳列販売機能とＰＯＳ販売機能の両方を実行する弾力性を持っていないことがある。従って、販売情報ターミナルであって、それにわずかに修正を加えることによって、さらにピーク需要時においては、ＰＯＳターミナルとしても機能する販売情報ターミナルを供給することは好ましい。
【０００５】
さらに、これまでに設計されたリテール・ターミナルに付属する筐体は比較的大きく、そのため、小売商店内の利用可能な表面積、すなわち、床面積の比較的大量を必要とする。従って、比較的小型で、かつ、広く小売商店の様々の場所に簡単に動かし、設置することができる、ユーザーの操作可能な電子モヂュールを備えたリテール・ターミナルを供給することは好ましい。
【０００６】
従って、本発明の目的は、リテール・ターミナルを操作するための、新規の、ないし、改良型の装置、および、方法を提供することである。本発明のある一局面においては、下記の一連のステップによって特徴づけられるリテール・ターミナル操作法が与えられる。すなわち、コア・モヂュール・アッセンブリ、一方向性基礎アッセンブリ、および、多方向性基礎アッセンブリを備えるリテール・ターミナルを設けること、そのコアー・モヂュール・アッセンブリを、同コア・モヂュール・アッセンブリが一方向性基礎アッセンブリに固定されている間に、販売機能を実行できるように操作すること、同コア・モヂュール・アッセンブリを、一方向性基礎アッセンブリから外すこと、この分離ステップの後で同コア・モヂュール・アッセンブリを多方向性基礎アッセンブリに装着すること、および、コア・モヂュール・アッセンブリを、同コア・モヂュール・アッセンブリが多方向性基礎アッセンブリに固定されている間に、販売機能を実行するように操作すること、の諸ステップである。
【０００７】
【課題を解決するための手段】
コア・モヂュール・アッセンブリは、同コア・モヂュール・アッセンブリが多方向性基礎アッセンブリに固定されている時に、介助性販売機能を実行できるようにしてもよい。本発明のもう一つの局面においては、下記のものによって特徴づけられるリテール・ターミナルが与えられる。すなわち、第１のコア・モヂュール取りつけ構造を備える一方向性基礎アッセンブリ、第２のコア・モヂュール取りつけ構造を備える多方向性基礎アッセンブリ、および、（ｉ）前記コア・モヂュール・アッセンブリが前記第１コア・モヂュール取りつけ構造に固定されている第１期間において販売機能を実行し、かつ、（ｉｉ）前記コア・モヂュール・アッセンブリが前記第２コア・モヂュール取りつけ構造に固定されている第２期間において販売機能を実行するよう、操作可能なコア・モヂュール・アッセンブリ、である。できれば、前記コア・モヂュール・アッセンブリは、それぞれ、前記第１期間と第２期間において、非介助性および介助性販売機能を実行できるよう、操作可能であることが好ましい。
【０００８】
できれば、前記多方向性基礎アッセンブリは、第１の方向と第２の方向の間に位置付けることが可能であり、かつ、前記コア・モヂュール・アッセンブリは、前記多方向性基礎アッセンブリが前記第１方向と前記第２方向に位置付けられた時に、前記介助性販売機能を実行するよう操作可能であることが好ましい。できれば、前記コア・モヂュール・アッセンブリは第１の表示画面を含み、前記多方向性基礎アッセンブリは第２の表示画面を含み、かつ、前記コア・モヂュール・アッセンブリが前記介助性販売機能を実行している時に、販売情報が前記第１表示画面と前記第２表示画面の両方に表示されることが好ましい。本発明がさらに容易に理解されるよう、実施例に基づき、付属の図を参照することとする。
【０００９】
【発明の実施の形態】
本発明がさらによく理解されるように、以後、実施例として付属の図面を参照することとする。付属の図面第１図から第５図を参照すると、消費者相互的リテール・ターミナル１０が示してある。これは、いくつかの販売機能、例えば、ＰＯＳ販売機能や商品陳列販売機能を果たすように構成されていてもよい。このリテール・ターミナル１０は、介助性または非介助性のいずれかの機能を実行するのに利用してよい。
【００１０】
ここに「ＰＯＳ販売機能」という用語の意味するところは、リテール・ターミナルが購買品目をチェックするのに操作される場合、そのリテール・ターミナルによって実行される機能である。ＰＯＳ販売機能のいくつかの実例を挙げるならば、（ｉ）スキャナー装置による、品目のリテール・ターミナル・メモリーへの入力、（ｉｉ）タッチ・スクリーン入力装置による、品目のリテール・ターミナル・メモリーへの入力、（ｉｉｉ）リテール・ターミナルへ入力された品目の価格の計算、および、（ｖ）入力品目の合計価格を含む取引データの表示モニターにおける表示、がある。
【００１１】
さらに、「商品陳列販売機能」という用語の意味するところは、リテール・ターミナルが顧客に販売情報を供給するのに使用される場合、そのリテール・ターミナルによって実行される機能である。そのような販売情報としては、（ｉ）品目説明や価格等の商品情報、および、（ｉｉ）店内における商品配置のような店内レイアウト情報が挙げられる。商品陳列販売情報のいくつかの実例を挙げるならば、（ｉ）スキャナー装置による販売情報質問のリテール・ターミナル・メモリーへの入力、（ｉｉ）タッチ・スクリーン入力装置による、販売情報質問のリテール・ターミナル・メモリーへの入力、（ｉｉｉ）販売情報質問データの商品データベースとの比較、および、（ｖ）販売情報質問の再現に応じて商品情報を表示モニターに表示すること、がある。
【００１２】
ここに「介助性販売機能」という用語の意味するところは、リテール・ターミナルが店員、または、商店主によってそのリテール・ターミナルを操作するよう雇われている助手によって操作される場合、そのリテール・ターミルによって実行される販売機能である。例えば、介助性販売機能は、雇用店員が顧客の購買品目を走査またはその他の手段によってリテール・ターミナルに入力し、その後に、顧客がその品目に対して支払ったことを示す、リテール・ターミナルの支払い受け取りキーを押し下げる時、それに応じてそのリテール・ターミナルによって実行される機能である。
【００１３】
さらに、「非介助性販売機能」という用語の意味するところは、店員や、その他の商店主によって雇われた職員の介助なしに、顧客自身によって実行される販売機能である。例えば、非介助性販売機能は、顧客自身が購買品目を走査またはその他の手段によってリテール・ターミナルに入力し、その後に、顧客がその品目に対して支払ったことを示す、リテール・ターミナルの支払いキーを押し下げる時（例えば、クレジット／デビット・カード読み取り器、または、現金受け取り器との相互作用を介して行う）、それに応じてそのリテール・ターミナルによって実行される機能である。
【００１４】
リテール・ターミナル１０はコア・モヂュール・アッセンブリ１２、カード読み取り器１４、および、ステレオスピーカー・アッセンブリ１６を含む。リテール・ターミナル１０はさらに、コア・モヂュール・アッセンブリ１２の固定される多方向性ないしピボット回転基礎アッセンブリ１８を含む。ここに、「多方向性基礎アッセンブリ」または「ピボット回転基礎アッセンブリ」という用語の意味するところは、基礎アッセンブリであって、コア・モヂュール・アッセンブリ１２を、その基礎アッセンブリ１８に対して、多数の方向ないし角度の内の一つに位置付ける基礎アッセンブリである。
【００１５】
コア・モヂュール・アッセンブリ１２は、表示画面ないしモニター２０、メインボード・アッセンブリ４８、および、無線式ローカル・エリア・ネットワーク（ＬＡＮ）カード６６を含む。表示スクリーン２０とメインボード・アッセンブリ４８は共に筐体４０内に設置されるが、ＬＡＮカード６６は筐体４０から突出し、カバー７０によって覆われる。カバー７０は、カバー７０がアンテナとして機能し、それによってＬＡＮカード６６への、および、同カードからの信号の送受信を促進するのに適当な材料で構成されていることを理解しなければならない。
【００１６】
第５図に示したように、筐体４０は、前面エンクロージャ４２、後部エンクロージャ４４、および、熱分散背面カバー４６を含む。ピボット回転基礎アッセンブリ１８は、傾斜機構５６と設置台５８を含む。傾斜機構５６は、コア・モヂュール・アッセンブリ１２を設置台５８に結合する。従って、後にさらに詳細に論ずるように、傾斜機構５６は、コア・モヂュール・アッセンブリ１２が、従って、表示モニター２０が、設置台５８に対して多数の方向ないし角度の内の任意の一つに位置付けられることを可能にする。このようなコア・モヂュール・アッセンブリ１２のピボット回転は、様々なユーザー（例えば、リテール・ターミナルが介助性リテール・ターミナルとして動作している場合にはレジの店員となる）によるリテール・ターミナルの使用の便宜には特に有益である。なぜなら、ユーザーはそれぞれ表示モニターが設置台５８に対して別角度に位置付けられることを好むものであるから。
【００１７】
第４図と第６図に示すように、メインボード・アッセンブリ４８は、いくつかの電気的コネクター２４、２６、２８、３０、３２、３６および３８を持つメインコントローラー・ボード２２を含む。後にさらに詳細に論ずるように、周辺装置の内のいくつかは、電気的コネクター２４、２６、２８、３０、３２、３４、３６および３８を介してメインコントローラー・ボード２２に電気的に結合され、それによって、リテール・ターミナル１０がいくつかの販売機能を実行可能となるようにしてもよい。メインコントローラー・ボード２２は、ＰＯＳカード４１０を含むように構成し、それによって、メインボード・アッセンブリ４８に結合される周辺装置の数を増やすようにしてもよい。
【００１８】
特に、ＰＯＳカード４１０は一対の電気的コネクター４１２と４１４を含むが、これらのコネクターを、ＰＯＳ装置に通常含まれる周辺装置をメインコントローラー・ボード２２に結合するために使用してもよい。例えば、電気的コネクター４１２を、現金引き出し器５０８（第６図参照）をメインコントローラー・ボード２２に結合するのに使用してよく、一方、電気コネクター４１４を、顧客表示モニター５１０（第１、２および６図参照）をメインコントローラー・ボード２２に結合するのに使用してよい。さらに、メインボード・アッセンブリ４８は、モノーラル・スピーカー８４を含む。これは、リテール・ターミナル１０の操作に伴う持続音や音響を発生するために設けられる。
【００１９】
リテール・ターミナル１０はさらに第３図に示すように電力供給器５０を含む。電力供給器５０は、中間電力ケーブル５２（第６図参照）を介してメインコントローラー・ボード２２に電気的に結合される。電源電力ケーブル５４（第６図参照）は、電力供給器５０を、標準の１１０ＶＡＣ出力口５１２のような電源に結合し、それによって電力をリテール・ターミナル１０に供給する。
【００２０】
電力供給器５０は、ピボット回転基礎アッセンブリ１８の設置台５８の中に収められる。特に、電力供給器５０は、設置台５８のボタン構造６０に固定され、被覆６０によって覆われる。このような構成はリテール・ターミナル１０に関連するケーブル管理を強化するものであることを理解しなければならない。特に、設置台５８は、その内部にいくつかのケーブル接続用開口部６４を定める（第２図参照）。電源電力ケーブル５４の第１末端は電源出力口５１２に結合し、同電源電力ケーブル５４の第２末端は、接続用開口部６４の内のどれか一つを通じて進め、その後電力供給器５０に接続してよい。さらに、このような構成によって、中間電力ケーブル５２を、一方で被覆６２で覆いながら、電力供給器から電力コネクター２６（第４図、第５図参照）に進めることが可能となり、それによって、同中間電力ケーブル５２の一部が吊下したり、あるいは、もしそうしなければリテール・ターミナル１０から懸架するであろう、そのような懸架を防止することができる。
【００２１】
さらに、ピボット回転基礎アッセンブリ１８をこのように構成することによって、リテール・ターミナル１０に付属するその他のケーブル、例えば、ＬＡＮケーブルやスピーカー・ケーブルも同接続用開口６４を、吊下したり、もしそうしなければリテール・ターミナル１０から懸架するであろう、その懸架を生ずることなしに進めて、対応する電気コネクター２４、２８、３０、３２、３４、３６、３８、４１２、４１４に接続することが可能になる。
【００２２】
次に第６図を参照すると、コア・モヂュール・アッセンブリ１２のブロックダイアグラムが示されている。コア・モヂュール・アッセンブリ１２のメインコントローラー・ボード２２は基本的に修正型のフラット・パネル・パーソナルコンピュータ（ＰＣ）であり、通常パーソナルコンピュータに付属するいくつかの部品、例えば、マイクロプロセッサー４２０、いくつかのメモリー・モヂュール４２２、イーサネット・コントローラー４２４、いくつかのビデオおよびオーディオ装置４２６、および、ハード・ドライブ装置７２を含む。さらに、メインコントローラー・ボード２２は、カード読み取り器１４、ステレオスピーカー・アッセンブリ１６、表示画面２０、ＬＡＮカード６６、動作検出器６８、および、モノーラル・スピーカー８４に電気的に結合される。さらにまた、メインコントローラー・ボード２２は、外部表示モニター７４、プリンター７６、キーボード７８、スキャナー装置８０、ヘッドホンのような別の外部スピーカー・アッセンブリ８２、現金引き出し器、および、顧客用表示モニター５１０に電気的に接続されてもよい。
【００２３】
「コア・モヂュール・アッセンブリ」という用語は、ここでは、少なくとも下記の部品を含む計算装置を意味することを理解しなければならない。すなわち、（ｉ）タッチスクリーンＬＣＤ表示モニターのような表示モニター、（ｉｉ）パーソナルコンピュータのような、入力されるデータインプットを処理する処理ユニット、および、（ｉｉｉ）いくつかの販売周辺装置を同処理ユニットに電気的に結合するための複数のコネクター、である。
【００２４】
カード読み取り器１４は、データ通信ライン８６を介してメインコントローラー・ボード２２に結合される。このカード読み取り器１４は、クレジット、および・または、デビット・カード読み取り器、または、スマート・カード読み取り器を含む、既知のいずれの磁気片読み取り器であってもよい。
【００２５】
ステレオスピーカー・アッセンブリ１６は、一対のステレオ・ケーブル８８を介してメインコントローラー・ボード２２に結合される。このステレオスピーカー・アッセンブリ１６は、既知のいずれの型のステレオ・ラウドスピーカーを含んでいてもよい。第３２図、第３３図に示すように、リテール・ターミナル１０は、特定の販売機能に適合するように、ステレオスピーカー・アッセンブリ１６を用いないような構成になっていてもよいことを理解しなければならない。そのように構成されている場合は、スピーカー・ライン９０を介してメインコントローラー・ボードに結合されるモノーラル・スピーカー８４が、リテール・ターミナル１０の動作に関連する可聴性音響や持続音を発生する。
【００２６】
表示モニター２０は、データ通信ライン９２を介してメインコントローラー・ボード２２に結合される。表示モニター２０は、多くの既知の液晶（ＬＣＤ）モニターのいずれか一つであってよい。表示モニター２０は、ビデオ商品デモ、商品宣伝、雇用員訓練用ビデオ等のような各種の視覚メッセージを表示するために設けられる。さらに、もしもリテール・ターミナル１０をＰＯＳターミナルとして機能するような構成とするならば（後にさらに詳細に論ずるように）、表示モニターは、品目価格、取引合計等のようなチェックアウト業務に関連する情報を表示するように用いてもよい。
【００２７】
さらに、表示モニター２０は、画面のある領域をユーザーがタッチした時にデータ信号を発生することができる既知のタッチ画面モニターであってもよい。このデータ信号は、データ通信ライン９２を通じてメインコントローラー・ボード２０に伝えられる。このような構成により、リテール・ターミナル１０の相互的操作が可能になることを理解しなければならない。例えば、リテール・ターミナル１０は、相互的顧客支援ターミナルとして構成されていてもよく、その場合、ユーザーは表示モニター２０に付属するタッチ画面の特定の領域をタッチし、それによって情報請求を入力する。次にこの請求の結果は、表示モニター２０および・またはスピーカー・アッセンブリ１６により、視覚的におよび・または聴覚的に表示される。
【００２８】
ＬＡＮカード６６は、リテール・ターミナル１０と、ローカル・エリア・ネットワーク（ＬＡＮ）９４のような、当該小売店のネットワークシステムとの間の無線通信を実現するために設けられる。ＬＡＮカード６６は、ＰＣＭＣＩＡカードのような多数の既知の無線ネットワークカードの内のいずれのものであってもよい。コア・モヂュール・アッセンブリ１２も、既知の対合撚り線接続のような結線接続によってＬＡＮ９４に結合されていることを理解しなければならない。特に、メインコントローラー・ボード２２は、ＬＡＮコネクター２４に結合されるＬＡＮケーブル９６のような結線接続を介してＬＡＮ９４に直接結合されていてよい。ＬＡＮ９４にたいするこのような結線接続は、ＬＡＮカード６６を介する無線接続に比べて高い送信速度を与えることを理解しなければならない。
【００２９】
動作検出器６８は、信号ライン９８を介してメインコントローラー・ボード２２に結合される。動作検出器６８は、本リテール・ターミナル１０の近接領域におけるユーザーの存在を検出するために設けられる。特に、ユーザーがリテール・ターミナル１０の近接領域に接近する時、動作検出器６８はアウトプット信号を発し、これは、メインコントローラー・ボード２２に伝送される。次にメインコントローラー・ボード２２は、それぞれ、ビデオおよび・またはオーディオ後続事象を、表示ディスプレー２０、および・または、ステレオスピーカー・アッセンブリ１６において実行させ、それによってユーザーの注意をリテール・ターミナル１０に引きつけるようにしてもよい。
【００３０】
さらに、動作検出器６８は、リテール・ターミナル１０によるエネルギー節約を促進するために使用することも可能であることを理解しなければならない。特に、リテール・ターミナル１０は、それに付属するいくつかの部品が、ある非使用期間の後「休眠」モードに入るように操作されていてもよい。動作検出器６８は、ユーザーがリテール・ターミナル１０の近接領域に接近した時、リテール・ターミナル１０を「覚醒」させるように用いてもよい。動作検出器６８は、光電検出器のような多数の既知の動作検出器の内のいずれのものを含んでいてよい。
【００３１】
メインコントローラー・ボード２２は、データ・バス１００を介してハード・ドライブ装置７２に結合される。メインコントローラー・ボード２２は、そのデータ保存要求が、遠隔位置、例えば、ＬＡＮ９４に付属のネットワーク部品の一つに設けられるように構成することも可能であることを理解しなければならない。このようなデータの遠隔保存は、メインボード・アッセンブリ４８からハード・ドライブ装置７２の除去を可能にするから、リテール・ターミナル１０に含まれる部品の数を減少させることになる。このような部品の減少は、リテール・ターミナル１０に関連するコストを下げる。
【００３２】
メインコントローラー・ボード２２は、スキャナー・コネクター３６に結合されるデータ・ケーブル１０２を介してスキャナー装置８０に結合される。このスキャナー装置８０は通常、購入される品目に関連する統一商品コード（ＵＰＣ）、業界マーク（単数または複数）、アルファベット数字文字（単数または複数）やその他の表示のような特定用コードを走査または読み取る。スキャナー８０は、レーザーのような光源（図示せず）、モーター（図示せず）によって駆動される回転ミラー（図示せず）、および、ミラー・アレー（図示せず）を含む。動作時には、レーザービームが回転ミラーとミラー・アレーから反射され、走査ビーム・パターンを生成する。ある品目上の特定用コードがこのスキャナー装置８０の近傍を通過すると、走査ビームがそのコードから散乱され、スキャナー装置８０に戻り、そこで収集・検出される。次にこの反射光が電気的に分析され、その反射光が正当な特定用コード・パターンを含むか否かが定められる。もしも正当なコード・パターンが存在するならば、次にその特定用コードが価格情報に変換され、それが次に、既知のやり方でその品目の価格を決めるのに用いられる。
【００３３】
メインコントローラー・ボード２２はまた、ビデオ・コネクター２８に結合されるビデオ・ケーブル１０４を介して外部表示モニター７４に電気的に結合されていてよい。この外部表示モニター７４は、商品デモのような目的のためにビデオ画像を、または、訓練用映画を表示するのに使用してもよい。外部表示モニター７４を用いることによって、リテール・ターミナル１０は、単に表示モニター２０だけで画像を表示するのに比べて、より大きな面積の上にビデオ画像を表示することが可能になる。この外部表示モニター７４は、ＶＧＡやスーパーＶＧＡモニター、または、既知のテレビ受像機のような既知のいずれの表示モニターであってもよい。
【００３４】
さらにメインコントローラー・ボード２２は、プリンター・コネクター３２に結合されるプリンター・ケーブル１０６を介してプリンター７６に結合されていてもよい。このプリンター７６は、例えば、リテール・ターミナル１０がＰＯＳターミナルとして構成される場合、領収書等を印刷するのに用いてもよく、または、例えば、リテール・ターミナル１０が販売情報ターミナルとして構成される場合、クーポンやレシペ等を印刷するのに用いてもよい。プリンター７６は、既知のいずれのプリンターであってもよく、例えば、レーザー、ドット・マトリックス、または、加熱式プリンターであってもよい。
【００３５】
さらにメインコントローラー・ボード２２は、キーボード・コネクター３４に結合されるデータ・ケーブル１０８を介してキーボード７８に電気的に結合されていてもよい。キーボード７８は、例えば、リテール・ターミナル１０のプログラミング時、または、その構成時に、同ターミナルにデータを入力するのに用いてもよい。さらに、キーボード７８は、表示モニター２０に表示された質問に対してユーザーの応答を入力するのに用いてもよい。キーボード７８は、Ｐ／Ｓ２キーボードのような既知のいずれのＰＣキーボードであってもよい。
【００３６】
さらにメインコントローラー・ボード２２は、外部スピーカー・コネクター３８に結合されるスピーカー・ケーブル１１０を介して外部スピーカー・アッセンブリ８２に電気的に結合されていてもよい。外部スピーカー・アッセンブリ８２は、ヘッドフォンの一部として組み込まれ、それによって、ユーザーが、雇用員訓練映画のオーディオ部分のようなオーディオメッセージを個人的に聴取できるようにしてもよい。さらに別法として、外部スピーカー・アッセンブリ８２は一対のラウドスピーカーであって、リテール・ターミナル１０から離れた場所に設置される一対のラウドスピーカーとして組み込まれていてもよい。
【００３７】
コネクター３０は、メインコントローラー・ボード２２の弾力性を増すために設けられる。特に、コネクター３０はできれば汎用シリアルバス（ＵＳＢ）として構成され、それによってＵＳＢデータ送信プロトコルをサポートする周辺機器がそこに結合可能となるのが好ましい。メインコントローラー・ボード２２とコネクター３０は、ＵＳＢデータ通信プロトコールの代わりに、その他の各種のデータ通信プロトコールに適合するように構成することが可能であることを理解しなければならない。例えば、コネクター３０は、既知のシリアルまたはパラレルデータ通信プロトコルをサポートするように構成されていてよい。
【００３８】
メインコントローラー・ボード２２のＰＯＳカード４１０は、現金引き出し器コネクター４１２に結合されるデータ・ケーブル５１４を介して現金引出し器５０８に電気的に結合される。現金引き出し器５０８は、例えばリテール・ターミナル１０がＰＯＳターミナルとして構成される場合、現金を保持するのに用いてもよい。現金引き出し器５０８は、電気的に制御される既知のいずれの現金引き出し器であってよい。
【００３９】
メインコントローラー・ボード２２のＰＯＳカード４１０はさらに、顧客用表示モニター・コネクター４１４に結合されるビデオ・ケーブル５１６を介して顧客用表示モニター５１０（さらに第１図、第２図を参照）に電気的に結合されてもよい。顧客用表示モニター５１０は、例えば、リテール・ターミナル１０がＰＯＳターミナルとして構成されている場合には、顧客の購入品目価格のような販売情報を表示するのに用いてもよい。従って、リテール・ターミナル１０を介助性ＰＯＳターミナルとして使用する場合には、取引情報を、商店員のために、コア・モヂュール・アッセンブリ１２の表示モニター２０に付属する表示画面に表示させるようにし、一方、取引情報を、顧客のために、顧客用表示モニター５１０に付属する表示画面に表示させるようにしてもよい。顧客用表示モニター５１０は、陰極線管（ＣＲＴ）モニターや液晶（ＬＣＤ）表示モニターのような既知の表示モニターの内のいずれのものであってもよい。
【００４０】
第４、５図及び第７図から第１５図に示すように、メインコントローラー・ボード２２は、熱伝導性筐体４３０の中に収められる。メインボード・アッセンブリ４８はさらに取りつけ用プレート５５４を含む。取りつけ用プレート５５４は、熱伝導性筐体４３０を表示モニター２０に固定するために設けられる。第１３図に示すように、筐体４３０は、熱移送構造４３２を含む。この熱移送構造４３２は、側壁４３４とＵ形延長通路４３６を含む。側壁４３４はいくつかの側壁４３８、４４０、および、４４２と共同して開口４３０を定め、この開口を通じて、筐体４３０内部に収められるいくつかの部品、例えば、マイクロプロセッサー４２０にたいする接近が可能になる。さらに、各側壁４３８、４４０および４４２はそれぞれ固定面４５０、４５２および４５４をその内部に定める（第４図参照）。
【００４１】
背面カバー４６は、熱分散プレート４７０を持つ熱分散部材を定める。熱分散部材４７０は、延長張り出し４４４を突出させる。張り出し４４４は、延長通路４３６に受容され、それによって、マイクロプロセッサー４２０や、その他の、メインコントローラー・ボード２２に付属する各種集積回路装置の発生する熱を分散するための効率的な熱経路を提供する。特に、背面カバー４６は、非変位位置（第９、１０図に図示）と変位位置（第７、８および９図に図示）の間に位置付けることが可能である。背面カバー４６を変位位置に設置した場合、張り出し４４４は、延長通路４３６の内壁４４８に向けられる、または、内壁４４８と接触するよう変位され、そうすることによって両者の間に効率的な熱界面を形成する。さらに細かく言うと、延長通路４３６は、その内壁が、筐体４３０の側壁４３４に対して角度を持つ、または別言すれば、非平行的な関係となるように構成される（第１５図参照）。従って、第８図に示すように、張り出し４４４の外壁４６８は第１平面ＰＴを定義し、一方、延長通路の内壁４４８は第２平面ＰＣを定義する。
【００４２】
背面カバー４６の張り出し４４４を延長通路４３６の内部に進めていくと、背面カバー４６は最初は非変位位置に位置付けられ、そこにおいては、張り出し４４４によって定義される平面ＰＴは、延長通路４３６によって定義される平面ＰＣに実質的に平行である。背面カバー４６が非変位位置に設置された場合、筐体４３０の固定面４５０、４５２、４５４は、背面カバー４６に定義される、それぞれ対応する固定面４５６、４５８、４６０から隔てられることを理解しなければならない（第１０図参照）。一方、背面カバー４６が、全体として第９図の矢印４６２の方向に向けられる場合、または別言すればその方向に動かされる場合、張り出し４４４は延長通路４３６の内壁４４８に向かって移動し、または別言すれば内壁との接触を促され、そのために、張り出し４４４によって定義される平面ＰＴは、延長通路４３６によって定義される平面ＰＣに対して実質的に非平行となる。さらにボルト４６４のようないくつかの固定器を、背面カバーの固定面４５６、４５８、４６０に定められるいくつかの開孔と、それぞれ筐体４３０の固定面４５０、４５２、４５４に定められるいくつかのネジ溝開孔とを貫通して進め、それによって、背面カバーの固定面４５６、４５８、４６０を、それぞれ筐体４３０の固定面４５０、４５２、４５４に固定してもよい。背面カバー４６を変位位置に移動させると、張り出し４４４に定められる丸い末端４６６は、延長通路４３６の内壁４４８と接触するよう変位させられる（第８図）。
【００４３】
さらに背面カバー４６を変位位置に移動させると、張り出し４４４に定められる近位端５９０は、延長通路４３６の内壁５９２に接触するよう変位させられる（第８図）。従って、背面カバー４６をボルト４６４を用いて変位位置に保持すると、球状末端４６６の一部と外壁４６８の一部とは、延長通路４３６の内壁４４８との接触を持続し、一方、近位端５９０の一部は、延長通路４３６の内壁５９２との接触を持続する。このような構成は、背面カバーを変位位置に保つ時、張り出し４４４と延長通路４３６の間に効率的な熱経路を形成することを理解しなければならない。
【００４４】
前述したように、背面カバー４６は、背面カバー４６を変位位置に移動し、その後ボルト４６４によって固定されない限り、非変位位置を取ることになる。このような構成は、リテール・ターミナル１０を、背面カバー４６を筐体４３０に十分固定しないまま操作することを予防するための対不注意使用安全保障となる。特に、技術者等が、筐体４３０内部に収められた部品に接近するために背面カバー４６を外した場合、同背面カバー４６は、技術者がボルトを再び取り付ける迄は、変位位置を取ることはない。従ってこれは、技術者にとって視覚的指示器となるから、コア・モヂュール・アッセンブリ１２が誤って十分な熱分散機能なしに操作される機会の度数を低下ないし除去する。
【００４５】
さらに、背面カバー４６の熱分散プレート４７０は、背面カバー４６が変位位置に設置された場合には、筐体４３０内部に収められる部品をカバーするように開口４４６の上に設置される。さらに、熱分散プレート４７０は、いくつかの換気口５６０をその内部に定め、一方、側壁４４２は、いくつかの換気用細隙５９４を内部に定める。雰囲気は換気口５６０を貫通し、それによって筐体内部の部品、例えば、マイクロプロセッサー４２０を冷却することが可能である。その後、加熱された空気は、換気用細隙５９４を通じて筐体から排気される。
【００４６】
コア・モヂュール・アッセンブリ１２の動作時にマイクロプロセッサー４２０によって生成される熱は、熱吸い込みアッセンブリ４７２を介して側壁４３４に移送される。熱吸い込みアッセンブリ４７２は、熱移送構造ないしブロック４７４、一対の熱伝導性パッド４７６、および、熱ブロック・クランプ４７８を含む。熱ブロック４７４は、できれば、アルミニウム合金のような熱伝導性材料で形成されていることが好ましく、かつ、本体部分４８０とキー部分４８２を含む。第１２図に示すように、キー部分４８２は、本体部分４８０から突出し、その内部に固定孔４８４を定める。
【００４７】
熱ブロック４７４のキー部分４８２は側壁４３４と共同して相互の相対的動きを制限する。特に、側壁４３４は、その内部にキー用細隙４８６を定める。キー部分４８２は、このキー用細隙４８６の内部に位置付けされ、それによって、熱ブロック４７４と側壁４３４の間の相対的動きが制限される。さらに、ボルト４８８のような固定器をこのキー用細隙の内部に進め、その後、熱ブロック４７４のキー部分４８４の内部に定められた固定器開孔４８４とネジ溝を介して嵌合するようにしてもよい（第１４図参照）。全体として第１４図の矢印４９０の方向にボルト４８８を回転させることによって熱ブロック４７４は側壁４３４の方に引きつけられる、または別言すれば、同側壁の方に進められる。
【００４８】
第１２、１３図に示すように、熱伝導性パッド４７６を、熱ブロック４７４と側壁４３４の間に挿入する。さらに、各熱伝導パッド４７６は、その一面において接着性を持ち、それによって、パッドが熱ブロック４７４の末端部４９２に対して固定されるのを容易にする。ボルト４８８を、全体として第１４図の矢印４９０の方向に回転させると、熱伝導パッド４７６が、熱ブロック４７４の末端部４９２と側壁４３４の間に圧縮されることになる。特に、熱伝導性パッド４７６はエラストマー材料を原料とする。これは、ボルト４８８の回転時に、熱ブロック４７４の末端部４９２と側壁４３４の間に圧縮されるからである。本発明の熱伝導パッド４７６として用いて好適な弾性的、熱伝導性パッドの一つのタイプは、Ｔ−ｐｌｉ  ２２０−Ａ１熱伝導性介在パッドで、これは、米国オハイオ州クリーブランドのＴｈｅｒｍａｇｏｎ社から市販されている。
【００４９】
ボルト４８８の回転時、熱伝導性パッド４７６は、あらかじめ定められた限界まで圧縮され、そのために、メインボード・アッセンブリ４８の部品に付きものの寸法許容度のばらつきが仮にあったとしても、熱ブロック４７４と側壁４３４の間には効率的な熱経路が形成される。特に、ボルト４８８の回転時、熱ブロック４７４は側壁４３４に向かって進められ、それは、ボルト４８８の頭部４９４がキー部分４８２と側壁４３４の外面４９６と接触するまで続く。このように熱伝導パッド４７６を圧縮することによって、熱ブロック４７４と側壁４３４の間に、熱ブロック４７４や側壁４３４に付きものの寸法許容度のばらつきが仮にあったとしても、効率的な熱経路が形成されることを理解しなければならない。
【００５０】
第１２および１３図に示すように、クランプ４７８は、熱ブロック４７４を、マイクロプロセッサー４２０と接触するように仕向ける。特に、このマイクロプロセッサー４２０は、取りつけソケット５０２の内部に固定される。クランプ４７８は、いくつかのロック用細隙４９８をその内部に定め、それらは、取りつけソケット５０２において定められるロック用タブ５００と共同して、熱ブロック４７４をソケット５０２の方に、従って、マイクロプロセッサー４２０の方に向かうように仕向ける。一方、ボルト４８８の回転時に熱ブロック４７４の側方移動を促進するために、マイクロプロセッサー４２０は、その上面５０６に熱伝導性グリス５０４を配する（第１２図参照）。この熱伝導性グリス５０４により、熱ブロック４７４は、マイクロプロセッサー４２０の上面５０６に対して、効率的な熱境界面を維持しながら、滑走可能となる。本発明の熱グリス５０４として用いて好適な熱グリスの一つのタイプは、タイプ１２０熱接合部化合物であり、これは、米国マサチューセッツ州ウェイクフィールドＷａｋｅｆｉｅｌｄ  Ｅｎｇｉｎｅｅｒｉｎｇから市販されている。
【００５１】
上記から、コア・モヂュール・アッセンブリ１２の操作時、マイクロプロセッサー４２０によって生成される熱は、熱グリス５０４、熱ブロック４７４、熱伝導性パッド４７６、側壁４３４、延長通路４３６、張り出し４４４、および、カバー４６の熱分散プレート４７０を含む熱経路を通じて分散される。この熱経路は、従来設計された熱分散アッセンブリに比べて相対的に強化された熱分散能を発揮する。
【００５２】
リテール・ターミナル１０は、いくつかの異なる形態に構成され、それによって、各種多数の販売機能を実行できるように構成されていてもよい。このような販売機能のある種のものを実行するには、コア・モヂュール・アッセンブリ１２を選択的に傾斜させることが必要となる。傾斜機構５６は、基礎アッセンブリ１８上の設置台５８にたいする、コア・モヂュール・アッセンブリ１２の、従ってまた表示モニター２０の、そのような傾斜を可能にする。従って、リテール・ターミナル１０の操作時、ユーザー（例えば、介助性販売機能の場合の商店員）は、設置台５８に対してコア・モヂュール・アッセンブリ１２の位置を移動、あるいは別言すれば変更し、それによってターミナル１０をさらに便利に使用することができるようになる。
【００５３】
第１６図から第２０図に示すように、傾斜機構５６は、一対の円錐形保持器１１２、一対のラチェット部材１１４、一対の取りつけ具１１６、および、一対の末端キャップ１１８を含む。下記にさらに詳細に論ずるように、ラチェット部材１１４の内部に定められるいくつかのラチェット歯１２０は、傾斜機構５６の支持構造１２４の中に定められるいくつかのラチェット歯１２２と嵌合し、それによって、コア・モヂュール・アッセンブリ１２を、基礎アッセンブリ１８の設置台５８に対して、いくつかの相対位置の内の一つにロック、または別言すれば固定する。
【００５４】
ラチェット部材１１４は、取りつけ具１１６と保持器１１２の間に挿入される。特に、各ラチェット部材１１４は、その第１末端に取りつけピン１３４を持つ一対のスプリング・アーム１３２を含む。スプリング・アームの第２末端１３２は、その内部にラチェット歯１２０を定める基盤部１３６に固定される。各取りつけピン１３４の第１末端は、取りつけ具１１６に定められるそれぞれのピン開孔１３８に受納され、一方、取りつけピン１３４の第２末端は、保持器１１２のそれぞれの開孔１４０に受納される。取りつけピン１３４がこのように固定されると、スプリング・アーム１３２が圧縮され、それによって、基盤部１３６が、従って、ラチェット歯１２０が、保持器１１２に定められる切込み１４２に向かって、全体に矢印１４４の方向に付勢される。
【００５５】
一旦このように組みつけられたならば、一対の固定器、例えば、ボルトやネジ（図示せず）を、取りつけ具１１６に定められる一対の開口１４６を貫通して進め、その後、保持器１１２に定められる一対の開口１４８とネジ溝を介して嵌合し、それによって、取りつけ具１１６を保持器１１２に固定する。両方の保持器１１２に両方の取りつけ具１１６を、その間にラチェット部材１１４を挟んで固定することによって、左方取りつけサブアッセンブリ１５０と右方取りつけサブアッセンブリ１５２が定められる。
【００５６】
第１７図に示すように、構造支持体１２４は設置台５８に固定され、かつ、同体を貫通する中央通路１５８を有する。ボルト１５４のような固定器をこの中央通路を貫通させ、それによって左方取りつけサブアッセンブリ１５０を右方取りつけサブアッセンブリ１５２に固定するようにしてもよい。特に、ボルト１５４は、先ず、左方取りつけサブアッセンブリ１５０の保持器１１２に定められる開孔１５６を貫通して進め、その後に、中央通路１５８を貫通して進める。一旦中央通路１５８を貫通したならば、ボルト１５４を、右方取りつけアッセンブリ１５２の保持器１１２に定められる開孔（第２０Ａ図参照）を、次に、いくつかのワッシャー１６２を貫通して進める。ナット１６４がネジ溝を介してこのボルト１５４に嵌合する。ナット１６４が締め付けられるにつれて、左方取りつけサブアッセンブリ１５０が、全体的に第１７図の矢印１６６の方向に付勢されることを理解しなければならない。
【００５７】
上述したような取りつけサブアッセンブリ１５０、１５２の動きによって、それぞれの保持器１１２は、支持構造１２４に対して、この取りつけサブアッセンブリ１５０、１５２の相対的移動を促進するように位置付けられる。さらに詳細に述べるならば、傾斜機構５６の各保持器１１２がピボット構造３８６を定める。左方サブアッセンブリ１５０の保持器１１２は、その内部に外方軸受け面１７０を定め、一方、右方サブアッセンブリ１５２の保持器１１２は、その内部に外方軸受け面１７２を定める。ピボット構造３８６は、支持構造１２４に定められるそれぞれのピボット構造３９０と協調する。特に、支持構造１２４は、その内部に一対の受容器３９２を有する。受容器３９２は、第１７図に示すように、その内部に一対の内方軸受け面１７４、１７６を定める。保持器１１２に定められる外方軸受け面１７０、１７２は、それぞれ、支持構造１２４に定められる内方軸受け面１７４、１７６に担持され、そうすることによって保持器１１２の動きを容易にし、従って、支持構造１２４、従って設置台にたいする取り付けサブアッセンブリ１５０、１５２の相対的動きを容易にする。ナット１６４は、保持器１１２の軸受け面１７０、１７２と、それぞれ、支持構造１２４の軸受け面１７４、１７６との間に特定量の摩擦を生ずるように、特定量だけ締め付けつけることも可能であることを理解しなければならない。
【００５８】
一旦、取りつけサブアッセンブリ１５０、１５２が前述のように支持構造１２４に固定されたならば、コア・モヂュール・アッセンブリ１２を、取りつけ具１１６を用いて設置台１８に固定してもよい。特に、コア・モヂュール・アッセンブリ１２の背面エンクロージャ４４は、その内部に一対のネジ溝付き開孔１２６を持ち（第４図参照）、一方、背面カバー４６は、その内部に一対の開孔２４８を定め、この開孔２４８は、背面カバー４６を熱伝導性筐体４３０に取りつけた時、同筐体の固定面４５０に定められる一対の開孔２５０と同軸に揃う（第４図参照）。各取りつけ具１１６は、その内部に一対のフランジ１２８、２５６を定める。フランジ２５６は、比較的平坦な部分２５８と鍵部分２６０を含む。延長スロット１３０が各フランジ１２８に定められ、一方、開孔２６２が各フランジ２５６の平坦部２５８に定められる。コア・モヂュール・アッセンブリ１２を金具１１６に固定するためには、このコア・モヂュール・アッセンブリ１２を、金具１１６に対して、側壁４３８の張り出し部２５２が、金具１１６に定められるフランジ２５６の鍵部分２６０に合着するように位置付ける。その後、ボルトのような第１の一対の固定器（図示せず）を、延長スロット１３０を貫通して進め、次いで、ネジ溝付き開孔１２６にネジ溝を介して嵌合させる。
【００５９】
さらに、ボルトのような第２の一対の固定器（図示せず）を次に開孔２６２を通じて進め、その後、それぞれ、背面カバー４６と固定面４５０に定められる開孔２４８、２５０にネジ溝を介して嵌合し、それによって、コア・モヂュール・アッセンブリ１２を取りつけ具１１６に、従って、基礎アッセンブリ１８に固定する。上記のように、取りつけ具１１６は全体として、コア・モヂュール・アッセンブリ１２をピボット構造アッセンブリ１８に固定するための取りつけ構造を定めることを理解しなければならない。
【００６０】
コア・モヂュール・アッセンブリ１２は、ラチェット部材１１４を用いることにより、いくつかの位置の内のいずれかに位置付け、保持することが可能である。特に、前述のように、ナット１６４は、保持器１１２の軸受け面１７０、１７２と、それぞれ、支持構造１２４の軸受け面１７４、１７６との間に特定量の摩擦を生ずるように、特定量だけ締め付けつけることも可能であることを理解しなければならない。一方、コア・モヂュール・アッセンブリ１２の重さは、その大きさにおいて、それぞれ軸受け面１７０、１７２および、１７４、１７６の間の相互作用によって生ずる摩擦よりも大きく、そのために、コア・モヂュール・アッセンブリが軸回転すること、または別言すれば、支持構造１２４にたいする相対的移動を可能にする。一方、取りつけサブアッセンブリ１５０の組み立て中に生ずるラチェット部材１１４のスプリング・アーム１３２の圧縮により、基盤部分１３６が、従って、ラチェット歯１２０が、全体に第１９図の矢印１４４の方向に付勢される。このように付勢されて、ラチェット歯１２０は、支持構造１２４に定められるラチェット歯１２２に嵌合する。
【００６１】
（１）ラチェット部材１１４の圧縮スプリング・アーム１３２によって生成される力、および、（２）それぞれ軸受け面１７０、１７２と１７４、１７６の間の相互作用によって生ずる摩擦と関連する力、は、その大きさがコア・モヂュール・アッセンブリ１２の重量よりも大きいので、コア・モヂュール・アッセンブリ１２が、軸回転すること、または別言すれば、支持構造１２４、従って、基礎アッセンブリ１８にたいする相対的に移動すること、を阻止することを理解しなければならない。しかしながら、もしもユーザー等がコア・モヂュール・アッセンブリ１２の位置を別位置にしたいのであれば、ユーザーは、コア・モヂュール・アッセンブリ１２を押すか、引くか、または、別言すれば、全体として第１図の矢印１８０または矢印１８２のどちらかの方向に付勢すればよい。そのようにしてコア・モヂュール・アッセンブリ１２に与える付勢が、大きさにおいて、圧縮スプリング・アーム１３２によって生成される保持力、および、それぞれ軸受け面１７０、１７２と１７４、１７６の間の摩擦、よりも大きいければ、基盤部１３６を、従ってラチェット歯１２０を、全体として第１９図の矢印１８４の方向に付勢する。
【００６２】
基盤部１３６がこのように付勢されると、ラチェット歯１２０が、ラチェット歯１２２から外れ、それによって、保持器１１２が、従って、コア・モヂュール・アッセンブリ１２が、軸回転すること、または別言すれば、基礎アッセンブリ１８に対して相対的に移動することが可能になる。一旦ユーザーがコア・モヂュール・アッセンブリ１２にたいする付勢を止めると、ラチェット歯１２０は再びラチェット歯１２２と嵌合し、それによってコア・モヂュール・アッセンブリ１２を現在位置にロックする。
【００６３】
第１９図から第２０図に示すように、各保持器１１２は、その内部に一対のロック用タブ１８８を定め、一方、各末端キャップ１１８は、その内部に一対の延長スロット１９０を定める。各ロック用タブ１８８に定められる尖端１９２は、延長スロット１９０に受納される。ロック用タブ１８８は、保持器１１２の中心から放射方向に外方にバネによって変位されており、従って、尖端１９２を放射方向に外方に変位し、それによって、尖端１９２を延長スロット１９０内に移動可能に固定することを理解しなければならない。従って、末端キャップ１１８は、保持器１１２に移動可能に固定される。特に、末端キャップ１１８は、延長スロット１９０によって定められる移動経路を介することによって、全体として第１９図の矢印１９４と１９６の方向に回転することが可能である。
【００６４】
特に、右方取りつけサブアッセンブリ１５２の末端キャップ１１８は、全体として第１９図の矢印１９４の方向に、ロック用タブ１８８の辺縁１９８が、延長スロット１９０の側壁２００に接触する点まで回転することが可能である。逆に、右方取りつけサブアッセンブリ１５２の末端キャップ１１８は、ロック用タブ１８８の辺縁２０２が、延長スロット１９０の側壁２０４に接触する点まで回転することが可能である。左方取りつけサブアッセンブリ１５０の末端キャップ１１８も同様に回転可能であることを理解しなければならない。
【００６５】
このように末端キャップ１１８を回転させることは、コア・モヂュール・アッセンブリ１２を、基礎アッセンブリ１８に対して、好みの相対的角度に選択的にロック（または、ロック解除）することになる。特に、本傾斜機構５６はさらに位置ロック機構３８０を含む。この機構３８０は、コア・モヂュール・アッセンブリ１２を、従って、表示モニター２０を、基礎アッセンブリ１８の設置台５８に対して好みの角度に選択的にロックする（または、ロック解除する）ために設けられる。位置ロック機構３８０は、各末端キャップ１１８に定められる保持構造３８２を含む。第２０Ａおよび２０Ｂ図に示すように、保持構造３８２は、外側ガイド部材２０６と内側ガイド部材２０８とを含む。さらに、各ラチェット部材１１４は、その内部にロック用ピン１８６を定める。末端キャップ１１８の回転は、保持構造３８２を、ロック位置と開放位置の間に選択的に動かす。特に、末端キャップ１１８の、全体として第２０Ｂ図の矢印２１０の方向（すなわち、全体として第１９図の矢印１９４の方向）への回転は、保持構造３８２をロック位置に置く。すなわち、そこにおいて、ロック・ピン１８６は保持される、または別言すれば、外側ガイド部材２０６と内側ガイド部材２０８によって定められるロック用スロット３８４（第２０Ｂ図の実線で示すように）中に捕捉される。
【００６６】
ロック・ピン１８６がこのように捕捉されると、ラチェット歯１２０はしっかりとラチェット歯１２２に嵌合することになり、それによって、取りつけ具１１６の、従って、コア・モヂュール・アッセンブリ１２の、基礎アッセンブリ１８の設置台５８にたいする相対的動きを阻止する。逆に、末端キャップ１１８の、全体として第２０図の（Ｂ）の矢印２１２の方向（すなわち、全体として第１９図の矢印１９６の方向）への回転は、保持構造３８２を開放位置に置く。すなわち、そこにおいて、ロック・ピン１８６はカムで変位される、または別言すれば、末端キャップ１１８の中心に向かって放射方向内側に付勢され、それによって、ロック・ピン１８６をロック用スロット３８４から遠ざける（第２０図の（Ｂ）の仮想線で示すように）。このようなロック・ピン１８６の内方の付勢は、ラチェット部材１１４の基盤部１３６を同様に末端キャップ１１８の中心に向かって内側に付勢させることとなり、従って、ラチェット歯１２０を、ラチェット歯１２２から外れしめる、または別言すれば、遠ざけることになる。ラチェット歯１２０のラチェット歯１２２からの脱離は、取り付け金具１１６の、従って、コア・モヂュール・アッセンブリ１２の、基礎アッセンブリ１８の設置台５８にたいする相対的動きを促進する。
【００６７】
次に第２１図から第２４図を参照すると、本発明の取りつけサブアッセンブリの第２の実施態様である右方取りつけサブアッセンブリ５１８が示してある。この右方取りつけサブアッセンブリ５１８は、右方サブアッセンブリ１５２とやや似ている。そこで、第２１図から第２４図においては、第１図から第２０図に関連して前述したものと共通の部品を指名するには同じ参照数字を使用する。さらに、第２１図から第２４図においては、かつ、本明細書においては、右方取りつけサブアッセンブリ５１８のみを示しているけれども、同様の取りつけサブアッセンブリが、ピボット回転基礎アッセンブリ１８の左側にも使用されていることを理解しなければならない。
【００６８】
ラチェット部材１１４と末端キャップ１１８の代わりに、右方取りつけサブアッセンブリ５１８はラチェット部材５２０と末端キャップ５２２を含む。右方取りつけサブアッセンブリ５１８はさらにロック部材５２４を含む。ラチェット部材５２０は、ラチェット部材５２０が内部にロック・ピン１８６を定めないことを除いて、ラチェット部材１１４とほぼ同じである。さらに、末端キャップ５２２は、末端キャップ５２２が、その内部に保持構造の外側ガイド部材２０６と内側ガイド部材２０８を定める代わりに、その内部にロック用ハブ５２６（第２２図参照）を定めることを除いては、末端キャップ１１８とほぼ同じである。第２１図と２２図の（Ａ）図に示したように、ロック部材５２４は、その外面５３６が、ラチェット部材５２０の各スプリング・アーム１３２の内面に接触するように位置付けられる。
【００６９】
右方取りつけサブアッセンブリ１５２の場合と同様、コア・モヂュール・アッセンブリ１２は、ラチェット部材５２０を用いることにより、いくつかの位置の内のいずれかに位置付けられ、保持されることが可能である。特に、前述のように、ナット１６４は、保持器１１２の軸受け面１７０、１７２と、それぞれ、支持構造１２４の軸受け面１７４、１７６との間に特定量の摩擦を生ずるように、特定量だけ締め付けつけることも可能であることを理解しなければならない。一方、コア・モヂュール・アッセンブリ１２の重さは、その大きさにおいて、それぞれ軸受け面１７０、１７２および、１７４、１７６の間の相互作用によって生ずる摩擦よりも大きく、そのために、コア・モヂュール・アッセンブリ１２が軸回転すること、または別言すれば、支持構造１２４に対して相対的に移動することを可能にする。一方、取りつけサブアッセンブリ５１８の組み込み中に生ずるラチェット部材５２０のスプリング・アーム１３２の圧縮により、基盤部分１３６が、従って、ラチェット部材５２０のラチェット歯１２０が、全体に第２１図の矢印５２８の方向に付勢される。このように付勢されて、ラチェット歯１２０は、支持構造１２４に定められるラチェット歯１２２に嵌合する。
【００７０】
（１）ラチェット部材５２０の圧縮スプリング・アーム１３２によって生成される力、および、（２）それぞれ軸受け面１７０、１７２と１７４、１７６の間の相互作用によって生ずる摩擦と関連する力、は、その大きさがコア・モヂュール・アッセンブリ１２の重量よりも大きいので、コア・モヂュール・アッセンブリ１２が、軸回転すること、または別言すれば、支持構造１２４、従って、基礎アッセンブリ１８の設置台５８に対して相対的に移動すること、を阻止されることを理解しなければならない。しかしながら、もしもユーザー等がコア・モヂュール・アッセンブリ１２の位置を別位置にしたいのであれば、ユーザーは、コア・モヂュール・アッセンブリ１２を押すか、引くか、または別言すれば、全体として第１図の矢印１８０または矢印１８２のどちらかの方向に付勢すればよい。そのようにしてコア・モヂュール・アッセンブリ１２を付勢する際にユーザーによって生成される力は、大きさにおいて、圧縮スプリング・アーム１３２によって生成される保持力、および、それぞれ軸受け面１７０、１７２と１７４、１７６の間に生成される摩擦、よりも大きく、そのために、基盤部１３６を、従ってラチェット歯１２０を、全体として第２１図の矢印５３０の方向に付勢する。
【００７１】
基盤部分１３６がこのように付勢されると、ラチェット歯１２０が、ラチェット歯１２２から外れ、それによって、保持器１１２が、従って、コア・モヂュール・アッセンブリ１２が、軸回転すること、または別言すれば、基礎アッセンブリ１８に対して相対的に動くことが可能になる。一旦ユーザーがコア・モヂュール・アッセンブリ１２にたいする付勢を止めると、ラチェット歯１２０は再びラチェット歯１２２と嵌合し、そのためにコア・モヂュール・アッセンブリ１２は現在位置にロックされる。
【００７２】
末端キャップ１１８同様、末端キャップ５２２も、その内部に一対の延長スロット１９０を定める。保持器１１２の各ロック用タブ１８８に定められる尖端１９２は、この延長スロット１９０に受納される。ロック用タブ１８８は、保持器１１２の中心から放射方向に外方にバネによって変位されており、従って、尖端１９２を放射方向に外方に変位し、それによって、尖端１９２を、末端キャップ５２２の延長スロット１９０内に移動可能に固定することを理解しなければならない。従って、末端キャップ５２２は、保持器１１２に移動可能に固定される。特に、末端キャップ５２２は、延長スロット１９０によって定められる移動経路を介して、全体として第２１図の矢印５３２と５３４の方向に回転することが可能である。
【００７３】
特に、右方取りつけサブアッセンブリ５１８の末端キャップ５２２は、全体として第２１図の矢印５３２の方向に、ロック用タブ１８８の辺縁１９８が、延長スロット１９０の側壁２００に接触する点まで回転することが可能である。逆に、右方取りつけサブアッセンブリ５１８の末端キャップ５２２は、ロック用タブ１８８の辺縁２０２が、延長スロット１９０の側壁２０４に接触する点まで回転することが可能である。左方取りつけサブアッセンブリ（図示せず）の末端キャップ１１８も同様に回転可能であることを理解しなければならない。
【００７４】
このように末端キャップ５２２を回転させることによって、コア・モヂュール・アッセンブリ１２は、基礎アッセンブリ１８に対して、好みの相対的角度に選択的にロック（または、ロック解除）されることになる。特に、ロック用ハブ５２６はロック用部材１８と協調し、コア・モヂュール・アッセンブリ１２を、従って、表示モニター２０を、基礎アッセンブリ１８の設置台５８に対して好みの角度に選択的にロックする（または、ロック解除する）。特に、ロック用ハブ５２６は、その内部にいくつかの突起５４０を定める（第２２図の（Ｂ）参照）。ロック部材５２４は、その内部に突起５４２を定める（第２１図参照）。末端キャップ５２２の回転は、ロック部材５２４を、ロック位置と開放位置の間に選択的に動かす。特に、末端キャップ５２２の、全体として第２３および２４図の矢印５４４の方向（すなわち、全体として第２１図の矢印５３２の方向）への回転、または、第２３および２４図の矢印５４６の方向（すなわち、全体として第２１図の矢印５３４の方向）への回転は、ロック部材５４２を選択的にロック位置に置く。
【００７５】
すなわち、そこにおいて、突起５４２は保持される、または別言すれば、ロック用ハブ５２５の突起５４０の間に（第２４図に示すように）に捕捉される。突起５４２がこのように捕捉されると、ロック用部材５２４は変位される、または別言すれば、全体として第２３、２４図の矢印５４８の方向に付勢され、そのために、その内部に定める一対の接触部材５５０が、ラチェット部材５２０の基盤部１３６に接触させられる。このような基盤部１３６との接触によって、ラチェット歯１２０はしっかりと支持構造１２４のラチェット歯１２２に嵌合させられることとなり、それによって、取りつけ具１１６の、従って、コア・モヂュール・アッセンブリ１２の、基礎アッセンブリ１８の設置台５８にたいする相対的動きを阻止する。逆に、末端キャップ５２２の、全体として第２３、２４図の矢印５４４または５４６の内のいずれかの方向への回転は、ロック部材５２４を選択的に開放位置に置く。すなわち、そこにおいて、突起５４２は、ロック用ハブ５２６の突起５４０間領域から遠ざけられる、または別言すれば、解除される（第２３図に図示する通り）。
【００７６】
突起５４２がこのように解除されると、ロック部材５２４が、全体として第２３、２４図の矢印５５２の方向に自由に移動可能となり、それによって、ラチェット歯１２０が、ラチェット歯１２２から外れる、または別言すれば、遠ざかることが可能になることを理解しなければならない。ラチェット歯１２０のラチェット歯１２２からの脱離は、取り付け金具１１６の、従って、コア・モヂュール・アッセンブリ１２の、基礎アッセンブリ１８の設置台５８にたいする相対的動きを容易にする。
【００７７】
次に第１から２図および第２５図から第３９図を参照すると、各種形態のリテール・ターミナル１０が示してある。ピボット回転基礎アッセンブリ１８は、コア・モヂュール・アッセンブリ１２を、机上２１４のような実質的に水平な取りつけ面（第１図参照）、または、壁２１６のような実質的に垂直な取りつけ面（第２６図参照）に、軸回転的に固定するのに使用してもよい。特に、リテール・ターミナル１０は、取りつけプレート２１８によって、机上２１４に固定してもよい。この取りつけプレート２１８は、いくつかの取りつけ用タブ２２０を備えており、一方、基礎アッセンブリ１８の台取りつけ構造ないしプレート２２２は、いくつかの取りつけ用スロット２２４をその内部に定める。取りつけプレート２１８はさらにその内部にいくつかの固定開孔２２６を定める。この固定用開孔２２６は、取りつけプレート２１８の机上２１４への固定を強化するために設けられる。特に、ボルトないしネジ４０８のような固定器を、各固定開孔２２６を貫通して進め、その後、机上２１４に定められる対応する固定開孔４０２にネジ溝を介して嵌合させ、それによって、取りつけプレート２１８を机上２１４に固定する。
【００７８】
その後、取りつけ用タブ２２０が取りつけ用スロット２２４と協調して、基礎アッセンブリ１８の基盤プレート２２２を取りつけプレート２１８に固定する。特に、基礎アッセンブリ１８（それに固定されるコア・モヂュール・アッセンブリ１２を含めて）は、全体として第２図の矢印２２８の方向に、取りつけプレート２１８（机上２１４にボルト締めされている）に向かって進められ、それによって、取りつけ用タブ２２０は、取りつけ用スロット２２４と同軸に揃う。その後、基礎アッセンブリ１８はさらに全体として矢印２２８の方向に進められ、それによって、取りつけ用タブ２２０は、取りつけ用スロット２２４に受納される。一旦、取りつけ用タブ２２０が取りつけ用スロット２２４に受納されたならば、基礎アッセンブリ１８は、全体として矢印２３０の方向に付勢され、または別言すれば、滑り込まされ、それによって、取りつけ用タブ２２０は、取りつけ用スロット２２４のロック位置２３２にさらに進められ、それによって、取りつけ用タブ２２０はその内部にロックされる。
【００７９】
取りつけプレート２１８はさらにその内部にロック用フランジ２４４を定める（第２７図参照）。さらに、基礎アッセンブリ１８は、基盤プレート２２２に軸回転的に保持される、バネ変位性ロック・レバー３７０を備える（第２５図参照）。このロック・レバー３７０は、基礎アッセンブリ１８が、取りつけプレート２１８に対して不慮の相対的移動を起こすのを阻止する。特に、ロック・レバー３７０は、全体として第２図の矢印３７２の方向にバネで変位され、第２図に示すロック位置に置かれる。ロック・レバー３７０は、その内部にロック用切りこみ３９６を定める（第２５図参照）。このロック・レバー３７０がロック位置に置かれると、ロック用フランジ２４４が、ロック用切りこみ３９６に捕捉され、または別言すれば、保持され、それによって、基礎アッセンブリ１８が不慮に滑走し、または別言すれば、移動し、それによって、取りつけ用タブ２２０が思いがけず取りつけ用スロット２２４から外れることを阻止する。逆に、ロック・レバー３７０がユーザー等によって、全体として第２図の矢印３９８の方向に移動させられると、ロック・レバー３７０は、ロック解除位置を取ることになり、それによってロック用フランジ２４４が、ロック用切りこみ３９６から分離される、または別言すれば、解除される。
【００８０】
取りつけプレート２１８はさらにその内部にケーブル操作用開口２３６を定める。リテール・ターミナル１０に付属する多数の電気ケーブル（例えば、電力ケーブル５４ないしＬＡＮケーブル９６）を、机上２１４に定められる開口５６２に通し、その後このケーブル操作用開口２３６を通して進めてもよい。電気ケーブルは、取りつけプレート２１８に定められるケーブル操作用開口２３６を通じて一旦受納されたならば、基礎アッセンブリ１８に付属するケーブル操作用開口６４の内の一つを通して進め、その後、コア・モヂュール・アッセンブリ１２に付属する電気コネクター２４、２６、２８、３０、３２、３４、３６、３８、４１２、４１４（第４図参照）の内の一つに結合させてもよい。例えば、ＬＡＮケーブル９６は、机上２１４に定められる開口５６２、取りつけプレート２１８に定められるケーブル操作用開口２３６、および、基礎アッセンブリ１８に定められるケーブル操作用開口６４の内の一つ、を通して進めてよい。ケーブル操作用開口６４を通して一旦受納されたならば、データ・コネクター５７８は、ＬＡＮコネクター２４に結合され、それによって、コア・モヂュール・アッセンブリ１２をＬＡＮ９４に電気的に結合する。さらに、電力ケーブル５４は電力コネクター５８０を含む（第２図参照）。
【００８１】
電力ケーブル５４は、机上２１４に定められる開口５６２、取りつけプレート２１８に定められるケーブル操作用開口２３６、および、基礎アッセンブリ１８に定められるケーブル操作用開口６４の内の一つ、を通して進めてよい。ケーブル操作用開口６４を通して一旦受納されたならば、電力コネクター５８０は、電力供給器５０の電力インプット・コネクター５６８に結合され（第３図参照）、それによって、電力供給器５０を１１０  ＶＡＣ電源５１２に電気的に結合する。その後、中間電力ケーブル５２を、コア・モヂュール・アッセンブリ１２の電力コネクター２６と、電力供給器５０の電力アウトプット・コネクター５７２（第３図参照）の両方に接続し、それによってコア・モヂュール・アッセンブリ１２を電力供給器５０に電気的に結合する。
【００８２】
このような構成は、リテール・ターミナル１０が机上２１４に固定された場合、同ターミナル１０に付属するケーブル管理を強化することを理解しなければならない。特に、コア・モヂュール・アッセンブリ１２がピボット回転基盤アッセンブリ１８に固定された場合、設置台５８、被覆６２、取りつけ具１１６、および、コア・モヂュール・アッセンブリ１２は全体として、リテール・ターミナル１０の保護的筐体を定める。机上２１４の開口５６２や、取りつけプレート２１８のケーブル操作用開口２３６の外に延びる、データ・ケーブル（例えば、ＬＡＮケーブル９６）部分や電力ケーブル（例えば、電力ケーブル５４）部分は、基礎アッセンブリ１８の保護筐体の内部に「完全に包まれる」。
【００８３】
ここに、「完全に包まれる」、または、「完全に包む」という用語の意味するところは、電気ケーブル（例えば、ＬＡＮケーブルや電力ケーブル）のいずれの部分も、保護筐体の構成分（すなわち、設置台５８、被覆６２、取りつけ具１１６、および、コア・モヂュール・アッセンブリ１２）によって定められる内部空間の外に延びない、または別言すれば、内部空間を超えないことである。このような特質は、リテール・ターミナル１０が机上２１４に固定された場合、電気ケーブルが、それぞれのコネクターから外されかねないやり方で、ユーザー（すなわち、顧客または商店員）によって引っ張られる、または別言すれば、接触されることを防止するという点で望ましい。
【００８４】
第２６、２７図に示すように、リテール・ターミナル１０は、取りつけプレート２１８によって壁２１６に固定してもよい。固定用開孔２２６が、取りつけプレート２１８の壁２１６への固定を強化するために設けられる。特に、ボルト４０８を各固定開孔２２５を通じて進め、その後ネジ溝を介して、壁２１６に定められる、対応する固定開孔４０４に嵌合し、それによって、取りつけプレート２１８を壁２１８に固定する。
【００８５】
その後、取りつけ用タブ２２０が取りつけ用スロット２２４と共同し、基礎アッセンブリ１８の台プレート２２２を、取りつけプレート２１８に対して、従って、壁２１６に対して固定する。特に、基礎アッセンブリ１８（それに固定されたコア・モヂュールアッセンブリ１２を含む）を、全体として第２７図の矢印２４０の方向に、取りつけプレート２１８（壁２１６にボルト締めされている）に向かって進め、それによって、取りつけ用タブが、取りつけ用スロット２２４に同軸に揃うようにする。その後、基礎アッセンブリ１８をさらに、全体として矢印２４０の方向に進め、それによって、取りつけ用タブ２２０が、取りつけ用スロット２２４に受納されるようにする。一旦、取りつけ用タブ２２０が取りつけ用スロット２２４に受納されたならば、基礎アッセンブリ１８は、全体として矢印２４２の方向に付勢され、または別言すれば、滑り込まされ、それによって、取りつけ用タブ２２０は、取りつけ用スロット２２４のロック位置２３２にさらに進められ、それによって、取りつけ用タブ２２０はその内部にロックされる。
【００８６】
前述したように、ロック・レバー３７０は、基礎アッセンブリ１８が、取りつけプレート２１８に対して不慮の相対的移動を起こすことを防止する。特に、ロック・レバー３７０は、全体として第２７図の矢印３７４の方向にバネによって変位され、ロック位置に置かれる。ロック・レバー３７０がロック位置に置かれると、ロック用フランジ２４４が、ロック・レバー３７０に定められるロック用切りこみ３９６に捕捉され、または別言すれば、保持され、それによって、基礎アッセンブリ１８が不慮に滑走し、または別言すれば、移動し、それによって、取りつけ用タブ２２０が思いがけず取りつけ用スロット２２４から外れることがないように阻止する。逆に、ロック・レバー３７０がユーザー等によって、全体として第２７図の矢印４００の方向に移動させられると、ロック・レバー３７０は、ロック解除位置を取ることになり、それによってロック用フランジ２４４が、ロック用切りこみ３９６から脱離される、または別言すれば、解除される。
【００８７】
さらに、リテール・ターミナル１０に付属する多数の電気ケーブル（例えば、電力ケーブル５４ないしＬＡＮケーブル９６）を、壁２１６に定められる開口５６４に通し、その後ケーブル操作用開口２３６を通して進めてもよい。電気ケーブルは、取りつけプレート２１８に定められるケーブル操作用開口２３６を通じて一旦受納されたならば、基礎アッセンブリ１８に付属するケーブル操作用開口６４の内の一つを通して進め、その後、コア・モヂュール・アッセンブリ１２に付属する電気コネクター２４、２６、２８、３０、３２、３４、３６、３８、４１２、４１４（第４図参照）の内の一つに結合させてもよい。例えば、ＬＡＮケーブル９６は、壁２１６に定められる開口５６４、取りつけプレート２１８に定められるケーブル操作用開口２３６、および、基礎アッセンブリ１８に定められるケーブル操作用開口６４の内の一つ、を通して進めてよい。
【００８８】
ケーブル操作用開口６４を通して一旦受納されたならば、データ・コネクター５７８は、ＬＡＮコネクター２４に結合され、それによって、コア・モヂュール・アッセンブリ１２をＬＡＮ９４に電気的に結合する。さらに、電力ケーブル５４も壁２１６に定められる開口５６４、取りつけプレート２１８に定められるケーブル操作用開口２３６、および、基礎アッセンブリ１８に定められるケーブル操作用開口６４の内の一つ、を通して進めてよい。ケーブル操作用開口６４を通して一旦受納されたならば、電源コネクター５８０は、電力供給器５０の電力インプット・コネクター５６８に結合され（第３図参照）、それによって、電力供給器５０を１１０  ＶＡＣ電源５１２に電気的に結合する。その後、中間電力ケーブル５２を、コア・モヂュール・アッセンブリ１２の電力コネクター２６と、電力供給器５０の電力アウトプット・コネクター５７２（第３図参照）の両方に接続し、それによってコア・モヂュール・アッセンブリ１２を電力供給器５０に電気的に結合する。
【００８９】
このような構成は、リテール・ターミナル１０が壁２１６に固定された場合、同ターミナル１０に付属するケーブル管理を強化することを理解しなければならない。特に、前述したように、コア・モヂュール・アッセンブリ１２がピボット回転基礎アッセンブリ１８に固定された場合、設置台５８、被覆６２、取りつけ具１１６、および、コア・モヂュール・アッセンブリ１２は全体として、リテール・ターミナル１０の保護的筐体を定める。壁２１６の開口５６４や、取りつけプレート２１８のケーブル操作用開口２３６の外に延びる、データ・ケーブル（例えば、ＬＡＮケーブル９６）部分や電力ケーブル（例えば、電力ケーブル５４）部分は、基礎アッセンブリ１８の保護筐体の内部に完全に包まれる。このような特質は、リテール・ターミナル１０が壁２１６に固定された場合、電気ケーブルが、それぞれのコネクターから外されかねないやり方で、ユーザー（すなわち、顧客または商店員）によって引っ張られる、または別言すれば、接触されることを防止するという点で望ましい。
【００９０】
第２８、２９図に示すように、コア・モヂュール・アッセンブリ１２は、ピボット回転基礎アッセンブリ１８ではなくて、一方向性ないし角度固定基礎アッセンブリ２４６に対して固定されていてもよい。ここに「一方向性基礎アッセンブリ」ないし「角度固定基礎アッセンブリ」という用語の意味するところは、コア・モヂュール・アッセンブリ１２を基礎アッセンブリに固定した時、そのコア・モヂュール・アッセンブリ１２が一定位置ないし角度に維持されるように構成される基礎アッセンブリである。特に、ピボット回転基礎アッセンブリ１８と違って、角度固定基礎アッセンブリ２４６は、コア・モヂュール・アッセンブリ１２のピボット回転運動を促進するための傾斜機構を含まない。
【００９１】
従って、コア・モヂュール・アッセンブリ１２は、その操作時、角度固定基礎アッセンブリ２４６に固定されると静止的に保持される。このような構成は、リテール・アッセンブリ１０が、非介助性リテール・ターミナルとして動作する場合特に有用である。特に、コア・モヂュール・アッセンブリ１２を固定位置に維持することによって、コア・モヂュール・アッセンブリ１２が、ユーザー（すなわち、非介助性リテール・ターミナルの場合は顧客である）によって操作される、または別言すれば、接触される機会の数が減少し、それによって、そのリテール・ターミナルの有効寿命を恐らくは延長することになる。
【００９２】
角度固定基礎アッセンブリ２４６は、一対の側面パネル２６４、２６６、ヒンジ部材２６８、および、電力供給器２７０を備える筐体２７２を含む。ピボット回転基礎アッセンブリ１８の電力供給器５０と同様、電源供給器２７０は、メインコントローラー・ボード２２の電源コネクター２６に、中間電力ケーブル５５６を介して電気的に結合される（第６図参照）。電力ケーブル５５８（第６図参照）が、電力供給器２７０を、１１０  ＶＡＣ出力口５１２に電気的に結合し、それによって、電力をリテール・ターミナル１０に供給する。
【００９３】
電力供給器２７０は、角度固定基礎アッセンブリ２４６の筐体２７２に収められる。特に、電力供給器２７０は、角度固定基礎アッセンブリ２４６の基礎取りつけ構造、すなわち、プレート２７４（第３５図参照）に固定される。このような構成は、リテール・ターミナル１０に付属するケーブル管理を強化することを理解しなければならない。特に、筐体２７２は、その内部にいくつかのケーブル操作用開口２７６を定める（第３５図参照）。電源電力ケーブル５５８の第１末端は、標準１１０ＶＡＣ出力口５１２に結合させ、電源電力ケーブル５５８の第２末端を操作用開口２７６の内のどれか一つに進め、その後、電力供給器２７０に結合してもよい。
【００９４】
さらにこのように構成することによって、中間電力ケーブル５５６を、コア・モヂュール・アッセンブリ１２で覆ったまま（コア・モヂュール・アッセンブリ１２を筐体２７２に固定した場合）、電力供給器２７０から電力コネクター２６（第４、６図参照）へと進めることが可能となり、それによって、中間電力ケーブル５５６の一部が、リテール・ターミナル１０から垂れ下がったり、または別言すれば、懸垂するのを防止する。さらに、角度固定基礎アッセンブリ２４６をこのように構成することによって、リテール・ターミナル１０に付属するその他のケーブル、例えば、ＬＡＮケーブルやスピーカーケーブルも操作用開口２７６を通じて進め、その後に対応する電気コネクター２４、２８、３０、３２、３４、３６、３８、４１２、または、４１４に、リテール・ターミナル１０から垂れ下がったり、または別言すれば、懸垂させることなく、結合させることが可能になることを理解しなければならない。
【００９５】
さらに、電力供給器２７０を用いることによって、ピボット回転基礎アッセンブリ１８からのコア・モヂュール・アッセンブリ１２の取り外しが、さらに、その後のコア・モヂュール・アッセンブリ１２の角度固定基礎アッセンブリ２４６への装着が、また、その逆手順が、手早く、簡単に行われるようになることを理解しなければならない。特に、各基礎アッセンブリ（すなわち、ピボット回転基礎アッセンブリ１８と角度固定基礎アッセンブリ２４６）に別々の電力供給器を設けることによって、コア・モヂュール・アッセンブリ１２を、基礎アッセンブリ１８と２４６の間で電力供給器を動かすことをせずに、同基礎アッセンブリ１８と２４６の間を移動させることができ、そのために、コア・モヂュール・アッセンブリ１２を、基礎アッセンブリ１８と２４６の間で移動させるのに要する時間と手間の量を減らすことができる。例えば、コア・モヂュール・アッセンブリ１２は、先ずピボット回転基礎アッセンブリ１８に固定し、それによって、ＰＯＳ機能のような介助性販売機能を果たすようにしてもよい。この時、電力は、コア・モヂュール・アッセンブリ１２には、電力供給器５０によって供給されるが、同供給器５０は、中間電力ケーブル５２を介してメインコントロラー・ボード２２の電力コネクター２６に結合される。
【００９６】
その後、中間電力ケーブル５２を電力コネクター２６から外し、それによって、コア・モヂュール・アッセンブリ１２をピボット回転基礎アッセンブリ１８から外し、角度固定基礎アッセンブリ２４６に取りつけるようにしてもよい。一旦後述するやり方で機械的に角度固定基礎アッセンブリ２４６に取りつけたならば、電力は、中間電力ケーブル５５６を介してメインコントローラー・ボード２２の電力コネクター２６に結合される電力供給器２７０によって、コア・モヂュール・アッセンブリ１２に供給される。一旦電力供給器２７０に電気的に結合されると、コア・モヂュール・アッセンブリ１２は、商品デモ販売機能のような非介助性販売機能を実行するのに使用することが可能である。
【００９７】
ヒンジ部材２６８は、コア・モヂュール１２を、角度固定基礎アッセンブリ２４６の筐体２７２に固定するために設けられる。特に、ヒンジ部材２６８は、その内部に一対の保持用フランジ２７８を定める。このフランジ２７８は、筐体２７２の頂上プレートに定められる一対の保持用溝２８０（第２９図参照）と協調し、それによって、ヒンジ部材２６８が、全体として、第２８図の矢印２８４、または、矢印２８６のいずれかの方向に動くことを可能にする。
【００９８】
このヒンジ部材２６８はさらにその内部に一対の開孔２８８を定める。この開孔２８８は、コア・モヂュール・アッセンブリ１２をヒンジ部材２６８に固定するために設けられる。特に、コア・モヂュール・アッセンブリ１２の背面カバー４６は、その内部に一対の開孔２９０を定めるが、同開孔２９０は、背面カバーを熱伝導筐体４３０（第４図参照）に取りつけた時、同熱伝導筐体４３０の固定面４５４に定められる一対の開孔２９２と同軸に揃う。背面カバー４６を背面エンクロージャ４４に固定するには、一対のボルト４６４が開孔２９０、２９２に位置付けられることを理解しなければならない。同じボルト４６４を用いて、コア・モヂュール・アッセンブリ１２をヒンジ部材２６８に固定する。
【００９９】
特に、固定器を、ヒンジ部材２６８の後面から開孔２８８を通して進め、その後、それぞれ、背面カバー４６および熱伝導筐体４３０に定められる開孔２９０、２９２にネジ溝を介して嵌合し、それによって、（１）コア・モヂュール・アッセンブリ１２をヒンジ部材２６８に、従って、基礎アッセンブリ２４６に固定し、かつ、（２）背面カバー４６の頂上を筐体４３０に固定する。背面エンクロージャ４４をこのようにヒンジ部材２６８に固定した場合、コア・モヂュール・アッセンブリ１２は、角度固定基礎アッセンブリ２４６の筐体２７２に対して、全体として第２８図の矢印２８４、または、矢印２８６のいずれかの方向に軸回転することが可能になる。コア・モヂュール・アッセンブリ１２のこのような軸回転によって、電力供給器２７０やスキャナー装置８０のような、筐体内部に収容されるいくつかの部品への接近が容易になる。
【０１００】
側面パネル２６４、２６６はそれぞれその内部に取りつけ用タブ２９６を定める。この取りつけ用タブ２９６とヒンジ部材２６８は協調し、それによって、角度固定基礎アッセンブリ２４６の取りつけ構造を定める。さらに、取りつけ用タブ２９６を用いて、コア・モヂュール・アッセンブリ１２の基底部を、角度固定基礎アッセンブリ２４６の筐体２７２に固定する。特に、コア・モヂュール・アッセンブリ１２は、全体として第２８図の矢印２８６の方向に軸回転され、それによって、筐体２７２に対して、側壁４３８（第４図参照）の張り出し部分２５２が、取りつけ用タブ２９６に載るように位置付けられる。その後、ボルトまたはネジ（図示せず）のような固定器を、側面パネル２６６に定められる開孔２９８を通して進め、その後、ヒンジ部材２６８（第２９図参照）に含まれるフランジ３０２に定められるネジ溝付き開孔３００とネジ溝を介して嵌合させる。固定器が開孔２９８と３００に位置付けられ、それによって、コア・モヂュール・アッセンブリ１２を筐体２７２に、従って、角度固定アッセンブリ２４６にロックした、または別言すれば、固定した場合には、ヒンジ部材２６８は、筐体２７２にたいする相対的軸回転を阻止されることを理解しなければならない。
【０１０１】
第３０から３３図に示すように、リテール・ターミナル１０は、いくつかの異なる形態を備え、それによって、所望の販売機能を実行するための要求を満たすようになっていてもよい。例えば、リテール・ターミナル１０は、スキャナー装置８０を備える構成としてもよい（第３０、３２図参照）。スキャナー装置８０は、リテール・ターミナル１０がＰＯＳターミナルとして使用される場合、商品情報を入力するのに特に有用である。特に、もしも顧客ないし店員が、このリテール・ターミナル１０を、購買品目のチェックアウトに使用する場合には、スキャナー装置を、各購買品目に付属するバーコードに含まれる商品特定コードを走査する、または別言すれば、捕捉するのに用いることができる。一旦商品特定コードを獲得したならば、リテール・ターミナル１０は、商店ネットワーク・システム（すなわち、ＬＡＮ９４）と、無線接続（すなわち、ＬＡＮカード６６）、または、結線結合（すなわち、ＬＡＮコネクター２４に結合されたＬＡＮケーブル９６）のいずれかを介して交信し、それによって、同購買品目に付属する価格情報を獲得してもよい。
【０１０２】
さらに、スキャナー装置８０は、リテール・ターミナル１０が商品情報ターミナルとして利用される場合にも、有用である。例えば、リテール・ターミナル１０を小売商店の販売区域に置き、それによって、顧客が、ある品目に付属するバーコードをスキャナー装置８０で走査し、それによって、価格や型特徴のような商品情報を得ることができるようにし、それによって、顧客の商品選択を介助するようにしてもよい。
【０１０３】
また別法として、リテール・ターミナル１０は、スキャナー装置８０（第３１図と第３３図参照）を使用しないように構成されていてもよい。このような構成は、リテール・ターミナル１０が、商品特定コードの入力を必要とせず、そのため、リテール・ターミナル１０に付随するコストを下げる構成のにおいて利用される場合望ましい。例えば、リテール・ターミナル１０が、オーディオ・ビジュアル（Ａ／Ｖ）商品デモを表示するのに用いられる場合である。
【０１０４】
さらにリテール・ターミナル１０は、ステレオスピーカー・アッセンブリ１６（第３２、３３図参照）を使用しない構成にしてもよい。このような構成は、リテール・ターミナル１０が、ステレオ再生を必要としない構成において利用される場合は望ましい。例えば、リテール・ターミナル１０が、ステレオ音響を含まない、ビデオ商品デモを表示するのに用いられる場合である。
【０１０５】
最後に、リテール・ターミナル１０は、スキャナー装置８０や、ステレオスピーカー・アッセンブリ１６のいずれも使用しない構成にしてもよい（第３３図参照）。このような構成は、リテール・ターミナル１０が、商品特定コード入力や、ステレオ再生を必要としない構成において利用される場合は望ましい。
【０１０６】
第３４図から第３５図を参照すると、角度固定基礎アッセンブリ２４６は、コア・モヂュール・アッセンブリ１２を、机上２１４（第３４図参照）のような実質的に水平な面か、または、壁２１６ないし柱３０４（第３６−３７図参照）のような実質的に垂直な面のいずれかに固定するのに用いてもよい。特に、リテール・ターミナル１０は、取りつけプレート２１８によって机上２１４に固定してもよい。特に、基礎アッセンブリ２４６の基盤プレート２７４は、その内部にいくつかの取りつけ用スロット３０６を定める。ボルト４０８の一つを、取りつけプレート２１８に定められる各固定用開孔２２６を通して進め、その後、机上２１４に定められる対応する固定開孔４０２にネジ溝を介して嵌合し、それによって、取りつけプレート２１８を机上２１４に固定する。
【０１０７】
その後、取りつけ用タブ２２０が取りつけ用スロット３０６と協調し、それによって、基礎アッセンブリ２４６の基盤プレート２７４を取りつけプレート２１８に固定する。特に、基礎アッセンブリ２４６（同アッセンブリに固定されたコア・モヂュール・アッセンブリ１２を含む）を、全体として第３５図の矢印３０８の方向に進め、それによって、取りつけ用タブ２２０が取りつけ用スロット３０６と同軸に揃うようにする。その後、基礎アッセンブリ２４６をさらに、全体として矢印３０８の方向に進め、それによって、取りつけ用タブ２２０が、取りつけ用スロット３０６の中に受納されるようにする。取りつけ用タブ２２０が一旦取りつけ用スロット３０６の内部に受納されたならば、基礎アッセンブリ２４６は、全体として第３５図の矢印３１０の方向に付勢され、または別言すれば、滑り込まされ、それによって、取りつけ用タブ２２０は、取りつけ用スロット２２４のロック部３１２に進められ、それによって同タブは、その内部においてロックされる。
【０１０８】
前述したように、取りつけプレート２１８はさらにその内部にロック用フランジ２４４を定める。第３５図に示すように、プレート・ロック開孔２３４が、このロック用フランジ２４４に定められる。ボルトないしネジ２５４のような固定器が、プレート・ロック開孔２３４を通して進められ、その後、背面取りつけ構造、すなわち、筐体２７２のプレート３１６に定められる、対応する基盤ロック開孔３１４に進められ、それによって、基礎アッセンブリ１８が不意に滑走し、または別言すれば、移動し、それによって、取りつけ用タブ２２０が思いがけず取りつけ用スロット３０６から外れることがないように阻止する。
【０１０９】
さらに、リテール・ターミナル１０に付属する多数の電気ケーブル（例えば、電源電力ケーブル５５８ないしＬＡＮケーブル９６）を、机上２１４に定められる開口５６２に通し、その後取りつけプレート２１８のケーブル操作用開口２３６を通して進めてもよい。電気ケーブルは、取りつけプレート２１８に定められるケーブル操作用開口２３６を通じて一旦受納されたならば、基礎アッセンブリ１８に付属するケーブル操作用開口２７６の内の一つを通して進め、その後、コア・モヂュール・アッセンブリ１２に付属する電気コネクター２４、２６、２８、３０、３２、３４、３６、３８、４１２、４１４（第４図参照）の内の一つに結合させてもよい。例えば、ＬＡＮケーブル９６は、机上２１４に定められる開口５６２、取りつけプレート２１８に定められるケーブル操作用開口２３６、および、基礎アッセンブリ２４６に定められるケーブル操作用開口２７６の内の一つ、を通して進めてよい。
【０１１０】
ケーブル操作用開口２７６を通して一旦受納されたならば、ＬＡＮケーブル９６のデータ・コネクター５７８は、ＬＡＮコネクター２４に接続され、それによって、コア・モヂュール・アッセンブリ１２をＬＡＮ９４に電気的に結合する。電源電力ケーブル５５８は、第３５図に示すように、電力コネクター５８２を含む。電源電力ケーブル５５８は、机上２１４に定められる開口５６２、取りつけプレート２１８に定められるケーブル操作用開口２３６、および、基礎アッセンブリ２４６に定められるケーブル操作用開口２７６の内の一つ、を通して進めてよい。ケーブル操作用開口２７６を通して一旦受納されたならば、電力コネクター５８０は、電力供給器２７０の電力インプット・コネクター５７４に接続され（第２８、２９図参照）、それによって、電力供給器２７０を１１０  ＶＡＣ電源５１２に電気的に結合する。その後、中間電力ケーブル５５６を、コア・モヂュール・アッセンブリ１２の電力コネクター２６と、電力供給器２７０の電力アウトプット・コネクター５７６（第２８、２９図参照）の両方に接続し、それによってコア・モヂュール・アッセンブリ１２を電力供給器２７０に電気的に結合する。
【０１１１】
このような構成は、リテール・ターミナル１０が机上２４６に固定された場合、同ターミナル１０に付属するケーブル管理を強化することを理解しなければならない。特に、コア・モヂュール・アッセンブリ１２が角度固定基礎アッセンブリ２４６に固定された場合、角度固定基礎アッセンブリ２４６の筐体２７２とコア・モヂュール・アッセンブリ１２は全体として、リテール・ターミナル１０の保護的筐体を定める。机上２１４の開口５６２や、取りつけプレート２１８のケーブル操作用開口２３６の外に延びる、データ・ケーブル（例えば、ＬＡＮケーブル９６）部分や電力ケーブル（例えば、電源電力ケーブル５５８）部分は、基礎アッセンブリ２４６の保護筐体の内部に完全に包まれる。このような特質は、リテール・ターミナル１０が机上２１４に固定された場合、電気ケーブルが、それぞれのコネクターから外されかねないやり方で、ユーザー（すなわち、顧客または商店員）によって引っ張られる、または別言すれば、接触されることを防止するという点で望ましい。
【０１１２】
第３６と３７図に示すように、リテール・ターミナル１０は、取りつけプレート２３８によって柱３０４に固定されてもよい。取りつけプレート２３８は、取りつけプレート２１８にやや似ている。従って、第３６、３７図においては、第１図から第３５図に関して前述したものと共通の部品を指名するに当っては、同じ参照番号を用いることにする。取りつけプレート２３８は、同プレートに固定される、外方に延びる一対のＵ型構造部材３１８を有する。この構造部材３１８は、第３７図に示すように、互いに協調して中央腔３２０を定める。
【０１１３】
さらに、この構造部材３１８は、その内部にいくつかの延長スロット３２２を定める。この延長スロット３２２は、取りつけプレート２３８を柱３０４に固定するために設けられる。特に、帯状クランプのようないくつかの金属バンドを柱の周囲に進め、その後、延長スロット３２２を通して進めてもよい。延長スロットを通して一旦進めたならば、この帯状クランプ４０６の対向末端を相互に固定し、それによって、取りつけプレート２３８を柱３０４に固定する。使用可能な一つのタイプの帯状クランプは、広く知られるステンレススチールのホース・クランプで、前述したようなやり方で柱の周囲に進めるのに十分な長さを持つものである。
【０１１４】
取りつけプレート２３８が一旦柱３０４に固定されたならば、基礎アッセンブリ２４６の筐体２７２を、同プレートに固定してもよい。特に、筐体２７２の背面プレート３１６はその内部にいくつかの取りつけ用スロット３２６を定める。取りつけプレート２３８の取りつけ用タブ２２０が、取りつけ用スロット３２６と協調し、それによって、基礎アッセンブリ２４６の背面プレート３１６を、取りつけプレート２３８に、従って、柱３０４に固定する。特に、基礎アッセンブリ２４６（同アッセンブリに固定されるコア・モヂュール・アッセンブリ１２を含む）は、全体として第３７図の矢印３２８の方向に、取りつけプレート２３８（柱３０４に固定されている）に向かって進め、それによって、取りつけ用タブ２２０が、取りつけ用スロット３２６と同軸に揃うようにする。
【０１１５】
その後、基礎アッセンブリ２４６をさらに、全体として矢印３２８の方向に進め、それによって、取りつけ用タブ２２０が、取りつけ用スロット３２６の内部に受納されるようにする。取りつけ用タブ２２０が一旦取りつけ用スロット３２６に受納されたならば、基礎アッセンブリ２４６は、全体として第３７図の矢印３３０の方向に付勢され、または別言すれば、滑り込まされ、それによって、取りつけ用タブ２２０は、取りつけ用スロット３２６のロック部３３２に進められ、それによって、各取りつけスロットは、その内部に取りつけ用タブ２２０をロックする。
【０１１６】
取りつけプレート２３８はさらに、その内部にロック用フランジ３３４を定める。このロック用フランジ３３４の内部にプレートロック開孔３３６が定められる。ボルトないしネジ５７０のような固定器が、ロック用開孔３３６を通して進められ、その後に、基盤プレート２７４に定められる対応する基盤ロック用開孔３３８の内部に進められ、それによって、基礎アッセンブリ３４６が不慮に滑走し、または別言すれば、移動し、それによって、取りつけ用タブ２２０が思いがけず取りつけ用スロット３２６から外れることがないように阻止する。
【０１１７】
さらに、取りつけプレート２３８は、その内部にケーブル操作開口３４０を定める。リテール・ターミナル１０に付属する多数の電気ケーブル（例えば、電源電力ケーブル５５８ないしＬＡＮケーブル９６）を、柱３０４に定められる開口５６６に通し、その後取りつけプレート２３８のケーブル操作用開口３４０を通して進めてもよい。電気ケーブルは、取りつけプレート２３８に定められるケーブル操作用開口３４０を通じて一旦受納されたならば、基礎アッセンブリ２４６に付属するケーブル操作用開口２７６の内の一つを通して進め、その後、コア・モヂュール・アッセンブリ１２に付属する電気コネクター２４、２６、２８、３０、３２、３４、３６、３８、４１２、４１４（第４図参照）の内の一つに結合させてもよい。例えば、ＬＡＮケーブル９６は、柱３０４に定められる開口５６６、取りつけプレート２３８に定められるケーブル操作用開口３４０、および、基礎アッセンブリ２４６に定められるケーブル操作用開口２７６の内の一つ、を通して進めてよい。ＬＡＮケーブル９６のデータ・コネクター５７８は、ケーブル操作用開口２７６を通して一旦受納されたならば、ＬＡＮコネクター２４に接続され、それによって、コア・モヂュール・アッセンブリ１２をＬＡＮ９４に電気的に結合する。
【０１１８】
電源電力ケーブル５５８はまた、柱２３８に定められる開口５６６、取りつけプレート２３８に定められるケーブル操作開口３４０、および、基礎アッセンブリ２４６に定められるケーブル操作用開口２７６の内の一つ、を通して進めてよい。ケーブル操作用開口２７６を通して一旦受納されたならば、電源電力ケーブル５５８の電力コネクター５８２は、電力供給器２７０の電力インプット・コネクター５７４に接続され（第２８、２９図参照）、それによって、電力供給器２７０を１１０  ＶＡＣ電源５１２に電気的に結合する。その後、中間電力ケーブル５５６を、コア・モヂュール・アッセンブリ１２の電力コネクター２６と、電力供給器２７０の電力アウトプット・コネクター５７６（第２８、２９図参照）の両方に接続し、それによってコア・モヂュール・アッセンブリ１２を電力供給器２７０に電気的に結合する。
【０１１９】
このような構成は、ターミナル１０が柱３０４に固定された場合、同リテール・ターミナル１０に付属するケーブル管理を強化することを理解しなければならない。特に、前述したように、コア・モヂュール・アッセンブリ１２が角度固定基礎アッセンブリ２４６に固定された場合、角度固定基礎アッセンブリ２４６の筐体２７２とコア・モヂュール・アッセンブリ１２は全体として、リテール・ターミナル１０の保護的筐体を定める。柱３０４の開口５６６や、取りつけプレート２３８のケーブル操作用開口３４０の外に延びる、データ・ケーブル（例えば、ＬＡＮケーブル９６）部分や電力ケーブル（例えば、電源電力ケーブル５５８）部分は、基礎アッセンブリ２４６の保護筐体の内部に完全に包まれる。このような特質は、リテール・ターミナル１０が柱３０４に固定された場合、電気ケーブルが、それぞれのコネクターから外されかねないやり方で、ユーザー（すなわち、顧客または商店員）によって引っ張られる、または別言すれば、接触されることを防止するという点で望ましい。
【０１２０】
取りつけプレート２３８はさらに、コア・モヂュール・アッセンブリ１２を、平坦な垂直壁に固定するのに用いてもよい（第２６図参照）。ボルトないしネジ（図示せず）のような固定器を、各壁取りつけスロット３４２を通して進め、その後、壁２１６に定められる対応する固定用開孔４０４にネジ溝を介して嵌合し（第２７図）、それによって取りつけプレート２３８を壁２１６に固定する。取りつけプレート２３８が一旦壁２１６に固定されたならば、コア・モヂュール・アッセンブリ１２を、前述したやり方で取りつけプレート２３８に固定してよい。
【０１２１】
第３８図、第３９図に示すように、付属プレート３４４を用いて、コア・モヂュール・アッセンブリ１２を直接取りつけプレート２１８に、従って、壁２１６に結合させてもよい。付属プレート３４４は、ピボット回転基礎アッセンブリ１８の取りつけ具１１６と同様にして、コア・モヂュール・アッセンブリ１２に固定される。特に、付属プレート３４４は、その内部に一対のフランジ３４６、３４８を定める。フランジ３４８は、比較的平坦な部分３５０と鍵部分３５２とを含む。延長スロット３５４が、各フランジ３４６の内部に定められ、一方、開孔３５６が、各フランジ３４８の平坦部３５０に定められる。コア・モヂュール・アッセンブリ１２を付属プレート３４４に固定するためには、コア・モヂュール・アッセンブリ１２を、付属プレート３４４に対して、側壁４３８の張り出し部分２５２（第４図参照）が、付属プレート３４４に定められるフランジ３４８の鍵部分３５２に載るように位置付ける。
【０１２２】
その後、第１の一対の、ボルトのような固定器（図示せず）を、延長スロット３５４を通し、その後、コア・モヂュール・アッセンブリ１２の背面エンクロージャ４４に定められるネジ溝付き開孔１２６に嵌合させる（第４図参照）。さらに、第２の一対の、ボルトのような固定器（図示せず）を、開孔３５６を通して進め、その後、それぞれ背面カバー４６と固定面４５０に定められる開孔２４８、２５０にネジ溝を介して嵌合させ、それによって、コア・モヂュール・アッセンブリ１２を付属プレート３４４に固定する。
【０１２３】
取りつけプレート２１８は、第２６、２７図に関連して前述したやり方で壁２１６に固定される。特に、ボルト４０８を、取りつけプレート２１８に定められる各固定用開孔２２６に通して進め、その後、壁２１６に定められる対応する固定用開孔４０４にネジ溝を介して嵌合させ、それによって、取りつけプレート２１８を壁２１６に固定する。
【０１２４】
その後、取りつけプレート２１８に定められる取りつけ用タブ２２０は、付属プレート３４４の取りつけ構造３８８に定められる、対応する数の取りつけスロット３５８と協調し、それによって、付属プレート３４４を、取りつけプレート２１８に、従って、壁２１６に固定する。特に、付属プレート３４４（同プレートに固定されるコア・モヂュール・アッセンブリ１２を含む）を、全体として第３９図の矢印３６０の方向に、取りつけプレート２１８（壁２１６にボルト締めされている）に向かって進め、それによって、付属プレート３４４の取りつけ用タブ２２０が取りつけ用スロット３５８と同軸に揃うようにする。
【０１２５】
その後、付属プレート３４４をさらに、全体として矢印３６０の方向に進め、それによって、取りつけ用タブ２２０が、取りつけ用スロット３５８の中に受納されるようにする。取りつけ用タブ２２０が一旦取りつけ用スロット３５８の内部に受納されたならば、付属プレート３４４は、全体として矢印３６２の方向に付勢され、または別言すれば、滑り込まされ、それによって、取りつけ用タブ２２０は、各取りつけ用スロット３５８のロック位置３６４に進められ、それによって、同スロットは、その内部に取りつけ用タブ２２０をロックする。
【０１２６】
その後、ボルトないしネジ（図示せず）のような固定器が、プレートロック用開孔２３４を通して進められ、その後に、付属プレート３４４に定められる対応する開孔３６６の内部に進められ、それによって、付属プレート３４４が不慮に滑走し、または別言すれば、移動し、それによって、取りつけ用タブ２２０が思いがけず取りつけ用スロット３５８から外れることがないように阻止する。
【０１２７】
さらに、リテール・ターミナル１０に付属する多数のケーブルを、壁２１６に定められる開口（図示せず）に通し、その後取りつけプレート２１８のケーブル操作用開口２３６を通して進めてもよい。ケーブルは、ケーブル操作用開口２３６を通じて一旦受納されたならば、付属プレート３４４に定められるいくつかのケーブル操作用開口３６８の内の一つを通して進め、その後、コア・モヂュール・アッセンブリ１２に付属する電気コネクター２４、２６、２８、３０、３２、３４、３６、３８、４１２、４１４（第４図参照）の内の一つに結合させてもよい。このような構成は、ターミナル１０が壁２１６に固定された場合、同リテール・ターミナル１０に付属するケーブル管理を強化することを理解しなければならない。例えば、付属プレート３４４を用いて壁２１６に取りつけた場合、「レンガ型」電力供給器のような外部電力供給器を用いて、コア・モヂュール・アッセンブリ１２の電力供給を行わなければならない。従って、外部電力供給器を、電力コネクター２６（第４図、第６図参照）に結合させる電力ケーブル（図示せず）は、前述したやり方で進めてよい。
【０１２８】
【発明の効果】
操作時、リテール・ターミナル１０を、いくつかの異なる種類の販売機能を実行するのに利用してもよい。例えば、リテール・ターミナル１０を先ず、商品デモ販売機能を実行する非介助性販売ターミナルとして操作してもよい。特に、角度固定基礎アッセンブリ２４６を、壁２１６または柱３０４のような垂直取りつけ面に、前述のやり方で固定させてもよい。次に、コア・モヂュール・アッセンブリ１２を、この角度固定基礎アッセンブリ２４６に機械的に固定する。このコア・モヂュール・アッセンブリ１２に対して、電力は、電力供給器２７０から供給される。
【０１２９】
すなわち、同供給器は、中間電力ケーブル５２を介してコア・モヂュール・アッセンブリ１２の電気コネクター２６に結合される。一旦角度固定基礎アッセンブリ２４６に機械的に結合され、その後電力供給器２７０に電気的に結合されたならば、コア・モヂュール・アッセンブリ１２は、商品デモ販売機能を実行することができる。このような機能は、それぞれ、表示モニター２０とステレオスピーカー・アッセンブリ１６に、ビデオ画像や対応するオーディオメッセージを再生することを含む。このビデオとオーディオ・メッセージは、一般に、商店主によって販売される各種商品に関連する。例えば、商品デモ販売機能は、表示モニター２０とステレオスピーカー・アッセンブリ１６に商品コマーシャルを写すことを含む。
【０１３０】
さらに、そのような商品デモ機能は、顧客が、表示モニター２０に関連してタッチ画面の特定の区域を触るか、または、キーボード７８（もしもここで取り扱うリテール・ターミナルがキーボードを備えているとすれば）に付属するキーに触るか、そのいずれかを実行することによって、要求や、その他の要望を入力することを可能にする。その後、リテール・ターミナル１０は、その顧客の要求に関連する情報を、表示モニター２０、および・または、ステレオスピーカー・アッセンブリ１６によって表示するようにしてもよい。
【０１３１】
ピーク需要期には、リテール・ターミナル１０を切り換えて、商品情報販売機能の実演を停止し、それによって、ＰＯＳ販売機能を実行できるようにする。特に、角度固定基礎アッセンブリ２４６（同アッセンブリに固定されるコア・モヂュール・アッセンブリ１２を含む）を、垂直取りつけ面（例えば、壁２１６や柱３０４）から取り外し、その後に、机上２１４のような水平取りつけ面に、前述したやり方で固定してもよい。一旦机上２１４に固定したならば、リテール・ターミナル１０を非介助性ＰＯＳ販売機能を実行するのに用いてもよい。特に、このリテール・ターミナル１０は、セルフサービス・チェックアウト・ターミナルとして動作させてもよい。
【０１３２】
セルフサービス・チェックアウト・ターミナル操作時には、顧客自身が先ず購入品目をスキャナー装置８０で走査してターミナル１０に入力する。コア・モヂュール・アッセンブリ１２は、ＬＡＮ９４と交信し（ＬＡＮカード６６か、または、ＬＡＮケーブル９６のいずれかを介して）、それによって、各走査品目に関連する価格情報を入手する。その後、顧客は、デビットカード、または、クレジットカードのいずれかをカード読み取り器１４の中を擦り抜けさせることによって、または、現金を現金受納器（もしもターミナル１０が現金受納器を備えていれば）に置くことによって、その品目にたいする支払いを済ませる。
【０１３３】
前記の議論はその性質上例示的を意図したものであることを理解しなければならない。すなわち、コア・モヂュール・アッサンブリー１２および角度固定基礎アッセンブリ２４６を垂直取りつけ面（例えば、壁２１６や柱３０４）に固定した場合でも、商品デモ販売機能以外のいくつかの販売機能を実行するよう操作することが可能であることを理解しなければならない。例えば、リテール・ターミナル１０は、コア・モヂュール・アッセンブリ１２と角度固定基礎アッセンブリ２４６を垂直取りつけ面に固定した状態で、ＰＯＳ販売機能や、職員訓練販売機能を実行してもよい。
【０１３４】
さらに、ピボット回転基礎アッセンブリ１８（同アッセンブリに固定されるコア・モヂュール・アッセンブリ１２を含む）はまた、角度固定基礎アッセンブリ２４６に関して前述したやり方で、垂直取りつけ面（例えば、壁２１６や柱３０４）と、水平取りつけ面（例えば、机上２１４）の間を移動させてもよい。さらに、リテール・ターミナル１０は、コア・モヂュール・アッセンブリ１２をピボット回転基礎アッセンブリ１８に取りつけた場合、しかも一方ピボット回転基礎アッセンブリ１８が、垂直取りつけ面または水平取りつけ面のいずれかに固定されている場合、各種介助性、および、非介助性販売機能を実行するのに用いることができる。
【０１３５】
例えば、リテール・ターミナル１０は、コア・モヂュール・アッセンブリ１２が、ピボット回転基礎アッセンブリ１８に固定され、同基礎アッセンブリ１８が次に水平取りつけ面（例えば、机上２１４）に固定されている場合、介助性ＰＯＳ販売機能を実行してもよい。この構成においては、販売周辺機器、例えば、カードリーダー（例えば、カードリーダー１４）、スキャナー装置（例えば、外付け携帯スキャナー装置）、現金引き出し器（例えば、現金引き出し器５０８）、および、顧客用ディスプレー（例えば、顧客用表示モニター５１０）は、コア・モヂュール・アッセンブリ１２に電気的に結合され、それによって、介助性ＰＯＳターミナルとしてのリテール・ターミナル１０の操作を支援するようにしてもよい。
【０１３６】
基礎アッセンブリ１８と２４６を垂直取りつけ面と水平取りつけ面との間を移動させる代わりに、コア・モヂュール・アッセンブリ１２だけを同じ間隔を移動させるだけでよいことを理解しなければならない。例えば、角度固定基礎アッセンブリ２４６を垂直取りつけ面（例えば、壁２１６や柱３０４）に固定し、一方、ピボット回転基礎アッセンブリ１８を水平取りつけ面（例えば、机上２１４）に固定する。コア・モヂュール・アッセンブリを、基礎アッセンブリ１８と２４６の間を移動させ、それによって各種販売機能を実行するようにしてもよい。
【０１３７】
特に、コア・モヂュール・アッセンブリ１２を先ず、角度固定基礎アッセンブリ２４６に機械的に取りつけ、一方、角度固定基礎アッセンブリ２４６の方は垂直取りつけ面に固定する。角度固定基礎アッセンブリ２４６に一旦機械的に取りつけられたならば、コア・モヂュール・アッセンブリ１２は、次に、中間電力ケーブル５５６を介して、電力供給器２７０に電気的に結合される。次に、このリテール・ターミナル１０は、商品デモ販売機能のような販売機能を実行するように操作してもよい。
【０１３８】
このリテール・ターミナル１０によって実行される販売機能を変更したいのであれば、コア・モヂュール・アッセンブリ１２を先ず、中間電力ケーブル５５６を電力コネクター２６から結合解除することによって、電力供給器２７０から電気的に結合解除する。次に、コア・モヂュール・アッセンブリ１２を、角度固定基礎アッセンブリ２４６から機械的に分離し、その後、ピボット回転基礎アッセンブリ１８に機械的に接合する。ピボット回転基礎アッセンブリ１８に一旦機械的に接合されたならば、コア・モヂュール・アッセンブリ１２を、中間電力ケーブル５２を介して、電力供給器５０に電気的に結合する。次に、リテール・ターミナル１０を、介助性ＰＯＳ販売機能のような販売機能を実行するよう操作してよい。
【図面の簡単な説明】
【図１】第１図は、本発明の特質をその内部に組み込んだ、消費者相互作用性リテール・ターミナルの斜視図である。このリテール・ターミナルは、ピボット回転基礎アッセンブリを含み、机上に設置されることに注意。
【図２】第２図は、第１図のリテール・ターミナルと、そのリテール・ターミナルを机上に固定するために使用される取りつけ具の背面斜視図である。
【図３】第３図は、第１図のリテール・ターミナルの分解斜視図である。
【図４】第４図は、第１図のリテール・ターミナルのコア・モヂュール・アッセンブリの背面分解斜視図である。
【図５】第５図は、第４図のコア・モヂュール・アッセンブリの分解斜視図である。
【図６】第６図は、第１図のリテール・ターミナルの概略ブロックダイアグラムである。
【図７】第７図は、第４図のコア・モヂュール・アッセンブリのメインボード・アッセンブリの基底部立面図である。
【図８】第８図は、第７図のメインボード・アッセンブリの拡大断片斜視図である。
【図９】第９図は、第７図と同様の拡大断片斜視図であるが、非変位位置に位置付けられた背面カバーを示す。
【図１０】第１０図は、背面カバーが非変位位置に位置付けられている、第７図のメインボード・アッセンブリを示す。
【図１１】第１１図は、第１０図と同様の図であるが、ただし、背面カバーが変位位置に位置付けられている所を示す。
【図１２】第１２図は、第７図のメインボード・アッセンブリの拡大分解斜視図であり、はっきりと見えるように背面カバーが除かれている。見易いように、マイクロプロセッサーの上面の一部しか熱伝導性グリスで覆われていないことに注意。
【図１３】第１３図は、第１２図と同様の図であるが、ただし、メインボード・アッセンブリの筐体内に固定される熱吸い込みアッセンブリを示す。
【図１４】第１４図は、第７図のメインボード・アッセンブリの拡大断片斜視図であり、ボルトが鍵状スロットを通じて、熱ブロックの鍵部に受納されるところを示す。
【図１５】第１５図は、第７図のメインボード・アッセンブリ基底部の拡大断片立面図である。
【図１６】第１６図は、第１図のリテール・ターミナルのピボット回転基礎アッセンブリの斜視図である。
【図１７】第１７図は、第１６図のピボット回転基礎アッセンブリの分解斜視図である。
【図１８】第１８図は、第１７図と同様の図であるが、さらに右方取りつけサブアッセンブリの保持器とラチェット部材を示す。
【図１９】第１９図は、第１８図の右方取りつけアッセンブリの拡大分解斜視図である。
【図２０】（Ａ）は、第１９図と同様の図であるが、ただし、保持器、ラチェット部材、および、末端キャップをさらに詳細に示す。（Ｂ）は、（Ａ）のの矢印２０Ｂの方向に見たときの立面図であり、右方取りつけアッセンブリの末端キャップとラチェット部材との関係を示す。
【図２１】第２１図は、第１９図と同様の図であるが、ただし、右方取りつけアッセンブリの第２実施態様を示す。
【図２２Ａ】（Ａ）は、第２１図と同様の図であるが、ただし、末端キャップをさらに詳細に示す。（Ｂ）は、（Ａ）の右方取りつけサブアッセンブリの末端キャップの、（Ａ）の矢印２２Ｂの方向に見たときの立面図である。
【図２３】第２３図は、第２１図の右方取りつけアッセンブリ（見易いためにロック部材は仮想線で示す）を、第２２の（Ａ）の矢印２３の方向に見たときの拡大立面図である。
【図２４】第２４図は、第２３図と同様の図であるが、ただし、ロック部材がロック位置にあるところを示す。
【図２５】第２５図は、第１６図のピボット回転基礎アッセンブリの基盤取りつけプレートの拡大斜視図であり、同アッセンブリに軸回転可能に固定されたロック用レバーを示す。
【図２６】第２６図は、壁に固定された第１図のリテール・ターミナルを示す断片斜視図である。
【図２７】第２７図は、第２６図のリテール・ターミナルの背面斜視図であり、リテール・ターミナルのピボット回転基礎アッセンブリと、リテール・ターミナルを壁に固定するために使用される取りつけ具との関係を示す。
【図２８】第２８図は、ピボット回転基礎アッセンブリの代わりに角度固定基礎アッセンブリを含むよう構成された、第１図のリテール・ターミナルを示す分解斜視図である。
【図２９】第２９図は、第２８図と同様の図であるが、ただし、見易さのために、ヒンジ部材を、角度固定アッセンブリの筐体から外したところを示す。
【図３０】第３０図は、第２８図のリテール・ターミナルの斜視図であって、ステレオスピカーと走査装置の両方を含むように構成されたリテール・ターミナルを示す。
【図３１】第３１図は、第３０図と同様の図であるが、ただし、走査装置を含まないように構成されたリテール・ターミナルを示す。
【図３２】第３２図は、第３０図と同様の図であるが、ただし、ステレオスピーカー・アッセンブリを含まないように構成されたリテール・ターミナルを示す。
【図３３】第３３図は、第３０図と同様の図であるが、ただし、ステレオスピーカー・アッセンブリも走査装置も含まないように構成されたリテール・ターミナルを示す。
【図３４】第３４図は、第２８図のリテール・ターミナルの斜視図であり、机上に固定されたリテール・ターミナルを示す。
【図３５】第３５図は、第３４図のリテール・ターミナルの背面斜視図であり、リテール・ターミナルと、リテール・ターミナルを机上に固定するために使用される取りつけ具との関係を示す。
【図３６】第３６図は、第２８図のリテール・ターミナルの斜視図であり、柱に固定されたリテール・ターミナルを示す。
【図３７】第３７図は、第３６図のリテール・ターミナルの背面斜視図であり、リテール・ターミナルと、リテール・ターミナルを柱に固定するために使用される取りつけ具との関係を示す。
【図３８】第３８図は、角度固定基礎アッセンブリやピボット回転基礎アッセンブリの代わりに付属プレートを含むように構成された第１図のリテール・ターミナルの側面図である。リテール・ターミナルが、壁に固定されていることに注意。
【図３９】第３９図は、第３８図のリテール・ターミナルの背面斜視図であり、リテール・ターミナル、付属プレート、および、リテール・ターミナルを壁に固定するために使用される取りつけ具との関係を示す。
【図１】
0004070170.tif 000002
【図２】
0004070170.tif 000003
【図３】
0004070170.tif 000004
【図４】
0004070170.tif 000005
【図５】
0004070170.tif 000006
【図６】
0004070170.tif 000007
【図７】
0004070170.tif 000008
【図８】
0004070170.tif 000009
【図９】
0004070170.tif 000010
【図１０】
0004070170.tif 000011
【図１１】
0004070170.tif 000012
【図１２】
0004070170.tif 000013
【図１３】
0004070170.tif 000014
【図１４】
0004070170.tif 000015
【図１５】
0004070170.tif 000016
【図１６】
0004070170.tif 000017
【図１７】
0004070170.tif 000018
【図１８】
0004070170.tif 000019
【図１９】
0004070170.tif 000020
【図２０】
0004070170.tif 000021
【図２１】
0004070170.tif 000022
【図２２】
0004070170.tif 000023
【図２３】
0004070170.tif 000024
【図２４】
0004070170.tif 000025
【図２５】
0004070170.tif 000026
【図２６】
0004070170.tif 000027
【図２７】
0004070170.tif 000028
【図２８】
0004070170.tif 000029
【図２９】
0004070170.tif 000030
【図３０】
0004070170.tif 000031
【図３１】
0004070170.tif 000032
【図３２】
0004070170.tif 000033
【図３３】
0004070170.tif 000034
【図３４】
0004070170.tif 000035
【図３５】
0004070170.tif 000036
【図３６】
0004070170.tif 000037
【図３７】
0004070170.tif 000038
【図３８】
0004070170.tif 000039
【図３９】
0004070170.tif 000040